(57)【要約】      （修正有）【課題】端末装置において自由度の高い間欠受信設定の選択を可能としながら基地局装置における負荷の増加を抑制することができる基地局装置、通信システム、端末装置、通信方法及びプログラムを提供する。【解決手段】基地局装置は、端末装置と無線で通信する通信部と、記憶部と、制御部と、を備える。制御部は、記憶部に記憶された、複数の間欠受信設定を示す間欠受信情報を参照し、間欠受信設定の一つに少なくとも対応する第一の受信期間の少なくとも一部において、端末装置に送信データを送信する。送信した送信データに対する応答情報を受信しないと判断するとき、間欠受信設定の別の一つに少なくとも対応する第二の受信期間の少なくとも一部において、端末装置に送信データを送信する。【選択図】図１３
2019165328.tif 000002
【特許請求の範囲】
【請求項１】
端末装置と無線で通信する通信部と、
記憶部と、
制御部と、を備え、
前記制御部は、
前記記憶部に記憶された、複数の間欠受信設定を示す間欠受信情報を参照し、
前記間欠受信設定の一つに少なくとも対応する第一の受信期間の少なくとも一部において、前記端末装置に送信データを送信し、
送信した前記送信データに対する応答情報を受信しないと判断するとき、前記間欠受信設定の別の一つに少なくとも対応する第二の受信期間の少なくとも一部において、前記端末装置に前記送信データを送信する
基地局装置。
【請求項２】
前記制御部は、
前記送信データを送信した送信スロットから所定スロット後の受信スロットにおいて、前記送信データに対する応答情報を受信しないとき、送信した前記送信データに対する応答情報を受信しないと判断する
請求項１に記載の基地局装置。
【請求項３】
前記制御部は、
前記送信データを送信した送信スロットと共通のスロットにおいて、前記送信データに対する応答情報を受信しないとき、送信した前記送信データに対する応答情報を受信しないと判断する
請求項１に記載の基地局装置。
【請求項４】
前記送信データは、前記送信データを送信した送信スロットから所定スロット後における前記端末装置への送信データの存在を示す指示情報であり、
前記応答情報は、前記指示情報に対する確認情報である
請求項１に記載の基地局装置。
【請求項５】
前記間欠受信設定は、間欠受信周期と当該間欠受信周期内の受信期間を含む
請求項１から請求項４のいずれか一項に記載の基地局装置。
【請求項６】
前記間欠受信情報は、前記複数の間欠受信設定が示す間欠受信周期のうちの最大値を示す
請求項１から請求項４のいずれか一項に記載の基地局装置。
【請求項７】
前記制御部は、
前記記憶部に記憶された、端末種別と間欠受信設定の対応付けを参照し、
前記端末装置から通知された端末種別に対応する間欠受信設定を選択し、
選択した前記間欠受信設定に対応する受信期間の少なくとも一部において、前記端末装置に前記送信データを送信する
請求項１から請求項６のいずれか一項に記載の基地局装置。
【請求項８】
基地局装置と端末装置とを備える通信システムであって、
前記基地局装置は、
通信部と、
記憶部と、
制御部と、を備え、
前記制御部は、
前記記憶部に記憶された、複数の間欠受信設定を示す間欠受信情報を参照し、
前記間欠受信設定の一つに少なくとも対応する第一の受信期間の少なくとも一部において、前記端末装置に送信データを送信し、
送信した前記送信データに対する応答情報を受信しないと判断するとき、前記間欠受信設定の別の一つに少なくとも対応する第二の受信期間の少なくとも一部において、前記端末装置に前記送信データを送信する
通信システム。
【請求項９】
基地局装置と端末装置とを備える通信システムであって、
前記基地局装置は、
通信部と、
記憶部と、
制御部と、を備え、
前記制御部は、
前記記憶部に記憶された、複数の間欠受信設定を示す間欠受信情報を、前記通信部を介して前記端末装置に通知し、
前記端末装置は、
端末通信部と、端末記憶部と、端末制御部と、を備え、
前記端末制御部は、
前記端末通信部を介して前記基地局装置から受信した間欠受信情報を、前記端末記憶部に記憶し、
前記端末記憶部に記憶された前記間欠受信情報が示す間欠受信設定の一つを選択し、
選択した前記間欠受信設定に対応する受信期間において前記基地局装置からの送信データを間欠受信し、
自装置宛の前記送信データを受信したとき、当該送信データに対する応答情報を前記基地局装置に送信する
通信システム。
【請求項１０】
基地局装置と無線で通信する通信部と、
記憶部と、
制御部と、を備え、
前記制御部は、
前記記憶部に記憶された間欠受信情報が示す複数の間欠受信設定の中から一つの間欠受信設定を選択し、
選択した前記間欠受信設定に対応する受信期間において前記基地局装置からの送信データを間欠受信し、
自装置宛の前記送信データを受信したとき、当該送信データに対する応答情報を前記基地局装置に送信する
端末装置。
【請求項１１】
前記制御部は、前記基地局装置から受信した間欠受信情報を前記記憶部に記憶する
請求項１０に記載の端末装置。
【請求項１２】
端末装置と無線で通信する通信部と記憶部とを備える基地局装置の通信方法であって、
前記基地局装置が、
前記記憶部に記憶された、複数の間欠受信設定を示す間欠受信情報を参照し、
前記間欠受信設定の一つに少なくとも対応する第一の受信期間の少なくとも一部において前記端末装置に送信データを送信する第１ステップと、
送信した前記送信データに対する応答情報を受信しないと判断するとき、前記間欠受信設定の別の一つに少なくとも対応する第二の受信期間の少なくとも一部において、前記端末装置に前記送信データを送信する第２ステップと、
を有する通信方法。
【請求項１３】
端末装置と無線で通信する通信部と記憶部とを備える基地局装置のコンピュータに、
前記記憶部に記憶された、複数の間欠受信設定を示す間欠受信情報を参照し、
前記間欠受信設定の一つに少なくとも対応する第一の受信期間の少なくとも一部において前記端末装置に送信データを送信する第１手順と、
送信した前記送信データに対する応答情報を受信しないと判断するとき、前記間欠受信設定の別の一つに少なくとも対応する第二の受信期間の少なくとも一部において、前記端末装置に前記送信データを送信する第２手順と、
を実行させるためのプログラム。
【発明の詳細な説明】
【技術分野】
【０００１】
本発明は、基地局装置、通信システム、端末装置、通信方法、及びプログラムに関する。
【背景技術】
【０００２】
無線通信に係る端末装置の電力消費を低減する手法として、従来から間欠受信（ＤＲＸ：Ｄｉｓｃｏｎｔｉｎｕｏｕｓ  Ｒｅｃｅｐｔｉｏｎ）が提案されている。ＤＲＸとは、端末装置が通信を行わず待ち受け状態であるとき、基地局装置から伝送される各種のデータを間欠的に待ち受けることを意味する。言い換えれば、ＤＲＸは、所定の周期ごとにその周期の一部の期間である受信期間においてデータ待ち受けを行い、残りの期間である非受信期間においてデータ待ち受けを行わないことを意味する。
【０００３】
基地局装置と端末装置からなる通信システムでは、基地局装置が管理するセル内の端末装置毎にＤＲＸ設定を基地局装置が定め、端末装置は基地局が設定したＤＲＸ設定に従って間欠受信を実行する。例えば、特許文献１には、基地局装置が各移動局装置のデータの送受信状況を参照してＤＲＸサイクルを定め、その移動局装置に通知する無線通信システムについて記載されている。
【先行技術文献】
【特許文献】
【０００４】
【特許文献１】特許第５１９５９６４号公報
【発明の概要】
【発明が解決しようとする課題】
【０００５】
他方、端末装置の機能や利用形態に応じて最適なＤＲＸ設定が多様化している。例えば、第５世代移動通信システム（５Ｇ：５ｔｈ  ｇｅｎｅｒａｔｉｏｎ  ｗｉｒｅｌｅｓｓ  ｓｙｓｔｅｍ）では、拡張間欠受信技術の導入が検討されている。しかしながら、端末装置毎にＤＲＸ周期などからなるＤＲＸ設定に係る処理を行う際、基地局装置が管理する端末装置の数が増えるほど、それらの処理に係る負荷が増大している。他方、端末装置において、より自由度の高いＤＲＸ設定の選択が期待されている。
【０００６】
本発明は上記の点に鑑みてなされたものであり、端末装置において自由度の高い間欠受信設定の選択を可能としながら基地局装置における負荷の増加を抑制することができる基地局装置、通信システム、端末装置、通信方法、及びプログラムを提供する。
【課題を解決するための手段】
【０００７】
（１）本発明は上記の課題を解決するためになされたものであり、本発明の一態様は、端末装置と無線で通信する通信部と、記憶部と、制御部と、を備え、前記制御部は、前記記憶部に記憶された、複数の間欠受信設定を示す間欠受信情報を参照し、前記間欠受信設定の一つに少なくとも対応する第一の受信期間の少なくとも一部において、前記端末装置に送信データを送信し、送信した前記送信データに対する応答情報を受信しないと判断するとき、前記間欠受信設定の別の一つに少なくとも対応する第二の受信期間の少なくとも一部において、前記端末装置に前記送信データを送信する基地局装置である。
【０００８】
（２）また、本発明の一態様は、上記の基地局装置において、前記制御部は、前記送信データを送信した送信スロットから所定スロット後の受信スロットにおいて、前記送信データに対する応答情報を受信しないとき、送信した前記送信データに対する応答情報を受信しないと判断する。
【０００９】
（３）また、本発明の一態様は、上記の基地局装置において、前記制御部は、送信データを送信した送信スロットと共通のスロットにおいて、前記送信データに対する応答情報を受信しないとき、送信した前記送信データに対する応答情報を受信しないと判断する。
【００１０】
（４）また、本発明の一態様は、上記の基地局装置において、前記送信データは、前記送信データを送信した送信スロットから所定スロット後における前記端末装置への送信データの存在を示す指示情報であり、前記応答情報は、前記指示情報に対する確認情報である。
【００１１】
（５）また、本発明の一態様は、上記の基地局装置において、前記間欠受信設定は、間欠受信周期と当該間欠受信周期内の受信期間を含む。
【００１２】
（６）また、本発明の一態様は、上記の基地局装置において、前記間欠受信情報は、前記複数の間欠受信設定が示す間欠受信周期のうちの最大値を示す。
【００１３】
（７）また、本発明の一態様は、上記の基地局装置において、前記制御部は、前記記憶部に記憶された、端末種別と間欠受信設定の対応付けを参照し、前記端末装置から通知された端末種別に対応する間欠受信設定を選択し、選択した前記間欠受信設定に対応する受信期間の少なくとも一部において、前記端末装置に前記送信データを送信する。
【００１４】
（８）また、本発明の一態様は、基地局装置と端末装置とを備える通信システムであって、前記基地局装置は、通信部と、記憶部と、制御部と、を備え、前記制御部は、前記記憶部に記憶された、複数の間欠受信設定を示す間欠受信情報を参照し、前記間欠受信設定の一つに少なくとも対応する第一の受信期間の少なくとも一部において、前記端末装置に送信データを送信し、送信した前記送信データに対する応答情報を受信しないと判断するとき、前記間欠受信設定の別の一つに少なくとも対応する第二の受信期間の少なくとも一部において、前記端末装置に前記送信データを送信する。
【００１５】
（９）また、本発明の一態様は、基地局装置と端末装置とを備える通信システムであって、前記基地局装置は、通信部と、記憶部と、制御部と、を備え、前記制御部は、前記記憶部に記憶された、複数の間欠受信設定を示す間欠受信情報を、前記通信部を介して前記端末装置に通知し、前記端末装置は、端末通信部と、端末記憶部と、端末制御部と、を備え、前記端末制御部は、前記端末通信部を介して前記基地局装置から受信した間欠受信情報を、前記端末記憶部に記憶し、前記端末記憶部に記憶された前記間欠受信情報が示す間欠受信設定の一つを選択し、選択した前記間欠受信設定に対応する受信期間において前記基地局装置からの送信データを間欠受信し、自装置宛の前記送信データを受信したとき、当該送信データに対する応答情報を前記基地局装置に送信する。
【００１６】
（１０）また、本発明の一態様は、基地局装置と無線で通信する通信部と、記憶部と、制御部と、を備え、前記制御部は、前記記憶部に記憶された間欠受信情報が示す複数の間欠受信設定の中から一つの間欠受信設定を選択し、選択した前記間欠受信設定に受信期間において前記基地局装置からの送信データを間欠受信し、自装置宛の前記送信データを受信したとき、当該送信データに対する応答情報を前記基地局装置に送信する端末装置である。
【００１７】
（１１）また、本発明の一態様は、上記の端末装置であって、前記制御部は、前記基地局装置から受信した間欠受信情報を前記記憶部に記憶する。
【００１８】
（１２）また、本発明の一態様は、端末装置と無線で通信する通信部と記憶部とを備える基地局装置の通信方法であって、前記基地局装置が、前記記憶部に記憶された、複数の間欠受信設定を示す間欠受信情報を参照し、前記間欠受信設定の一つに少なくとも対応する第一の受信期間の少なくとも一部において前記端末装置に送信データを送信する第１ステップと、送信した前記送信データに対する応答情報を受信しないと判断するとき、前記間欠受信設定の別の一つに少なくとも対応する第二の受信期間の少なくとも一部において、前記端末装置に前記送信データを送信する第２ステップと、を有する通信方法である。
【００１９】
（１３）また、本発明の一態様は、端末装置と無線で通信する通信部と記憶部とを備える基地局装置のコンピュータに、前記記憶部に記憶された、複数の間欠受信設定を示す間欠受信情報を参照し、前記間欠受信設定の一つに少なくとも対応する第一の受信期間の少なくとも一部において前記端末装置に送信データを送信する第１手順と、送信した前記送信データに対する応答情報を受信しないと判断するとき、前記間欠受信設定の別の一つに少なくとも対応する第二の受信期間の少なくとも一部において、前記端末装置に前記送信データを送信する第２手順と、を実行させるためのプログラムである。
【発明の効果】
【００２０】
本発明によれば、端末装置において自由度の高い間欠受信設定の選択を可能としながら基地局装置における負荷の増加を抑制することができる。
【図面の簡単な説明】
【００２１】
【図１】第１の実施形態に係る通信システムの一例を示す概念図である。
【図２】第１の実施形態に係る基地局装置の構成例を示すブロック図である。
【図３】第１の実施形態に係る端末装置の構成例を示すブロック図である。
【図４】候補ＤＲＸ設定の一例を示す概念図である。
【図５】送信データと応答情報の送信タイミングの関係の一例を示す図である。
【図６】送信データの送信例を示す図である。
【図７】送信データの他の送信例を示す図である。
【図８】送信データと応答情報の送信タイミングの関係の他の例を示す図である。
【図９】送信データと応答情報の送信タイミングの関係のさらに他の例を示す図である。
【図１０】候補ＤＲＸ設定の他の例を示す図である。
【図１１】送信データのさらに他の送信例を示す図である。
【図１２】送信データのまたさらに他の送信例を示す図である。
【図１３】第１の実施形態に係る基地局装置の処理の一例を示すフローチャートである。
【図１４】第１の実施形態に係る端末装置の処理の一例を示すフローチャートである。
【図１５】第２の実施形態に係る通信システムの一例を示す図である。
【図１６】第２の実施形態に係る基地局装置の構成例を示すブロック図である。
【図１７】第２の実施形態に係る端末タイプと候補ＤＲＸ設定の例を示す図である。
【図１８】第３の実施形態に係る基地局装置の構成例を示すブロック図である。
【図１９】第３の実施形態に係る端末装置の構成例を示すブロック図である。
【図２０】第３の実施形態に係る基地局装置の処理の一例を示すフローチャートである。
【図２１】第３の実施形態に係る端末装置の処理の一例を示すフローチャートである。
【発明を実施するための形態】
【００２２】
（第１の実施形態）
以下、図面を参照しながら本発明の第１の実施形態について説明する。
まず、本実施形態に係る通信システムの一例である通信システムＳ１について説明する。
【００２３】
図１は、本実施形態に係る通信システムＳ１の一例を示す概念図である。
通信システムＳ１は、基地局装置１０と、１又は複数の端末装置２０と、を含んで構成される。図１に示す例では、基地局装置１０の数は、１台である。基地局装置１０と通信可能とする端末装置２０の数は、２台である。２台の端末装置２０は、それぞれ端末装置２０ａ、２０ｂと呼んで区別される。
基地局装置１０の数は、複数になりうる。個々の基地局装置１０が通信可能とする端末装置２０の数は、０台、１台、又は３台以上となることもある。
【００２４】
基地局装置１０は、自装置のカバレッジ内の端末装置２０と無線で通信可能に接続し、各種のデータを送受信する。カバレッジとは、基地局装置１０からの電波が所定の受信電力以上の電力をもって到達する範囲を指す。カバレッジは、カバーエリアとも呼ばれる。基地局装置１０は、複数の間欠受信設定の候補（以下、「候補ＤＲＸ」と呼ぶ）を示す間欠受信情報（以下、「ＤＲＸ情報」と呼ぶ）を端末装置２０に通知する。基地局装置１０は、端末装置２０宛の送信データを取得するとき、複数の候補ＤＲＸのそれぞれが示す受信期間の少なくとも一部において送信データの端末装置２０への送信を試みる。基地局装置１０は、送信した送信データに対する応答情報を受信するとき、端末装置２０に未送信の送信データの送信を継続する。
【００２５】
端末装置２０は、基地局装置１０のカバレッジにおいて、基地局装置１０と無線で通信可能に接続し、各種のデータを送受信する。端末装置２０は、自装置の動作状況を示す動作状況情報を取得し、基地局装置１０から受信したＤＲＸ情報が示す複数の候補ＤＲＸ設定から取得した動作状況情報に基づいて１つの候補ＤＲＸを、ＤＲＸの実行に用いるＤＲＸ設定情報として選択する。端末装置２０は、選択したＤＲＸ設定情報を用いてＤＲＸを実行する。端末装置２０は、選択したＤＲＸ設定情報が示す受信期間において基地局装置１０からの送信データ（制御データ）を受信し、自装置宛ての送信データを示す制御情報が含まれていた場合に、そのデータに対する応答情報を基地局装置１０に送信する。本実施形態では、端末装置２０は、選択したＤＲＸ設定情報を明示的に基地局装置１０に通知しなくてもよい。端末装置２０は、自装置宛の送信データを受信するときＤＲＸの実行を停止し、継続して送信データを受信する。
【００２６】
端末装置２０が、ＤＲＸの実行を開始する動作状態は、主に、（１）通信接続状態（ｃｏｎｎｅｃｔｅｄ  ｍｏｄｅ、ＲＲＣ（Ｒａｄｉｏ  Ｒｅｓｏｕｒｃｅ  Ｃｏｎｔｒｏｌ）  ｃｏｎｎｅｃｔｅｄとも呼ばれる）と、（２）待ち受け状態（ｉｄｌｅ  ｍｏｄｅ、ＲＲＣ  ｉｄｌｅとも呼ばれる）とがある。  
【００２７】
（１）の状態で実行されるＤＲＸは、Ｃ−ＤＲＸ（Ｃｏｎｎｅｃｔｅｄ  ＤＲＸ）とも呼ばれる。端末装置２０ａは、例えば、通信接続開始時、つまり、待ち受け状態から通信接続状態に遷移するときにＲＲＣ設定情報などの各種の通信パラメータにＤＲＸ設定情報を含めて端末装置２０ａに送信する。これらの通信パラメータは、例えば、物理下りリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）を用いて伝送される。その後、基地局装置１０は、ＤＲＸ情報を所定の制御情報（例えば、物理下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）で伝送される下り制御情報（ＤＣＩ：Ｄｏｗｎｌｉｎｋ  Ｃｏｎｔｒｏｌ  Ｉｎｆｏｒｍａｔｉｏｎ  ｆｏｒｍａｔ）に含めて端末装置２０ａに送信してもよい。端末装置２０ａは、例えば、データ通信がなくなるとき、つまり、送受信に係る送信データがなくなるときに通信のアクティブ状態を保つ時間を計時するタイマ（以下、「ＤＲＸタイマ」と呼ぶ）による計時を開始し、そのタイマが満了するまでの所定期間（以下、「ＤＲＸ遷移時間」と呼ぶ）経過時に（１）の状態を開始する。端末装置２０ａは、設定したＤＲＸ設定が示す受信期間においてＤＲＸ情報、その他の情報を受信可能とする。Ｃ−ＤＲＸに係るＤＲＸ周期は、「Ｃ−ＤＲＸ周期」とも呼ばれる。
【００２８】
（２）の状態で実行されるＤＲＸは、Ｉ−ＤＲＸとも呼ばれる。端末装置２０は、例えば、送受信に係る送信データがなくなるときに、動作状態の遷移を管理するタイマ（以下、「状態遷移タイマ」と呼ぶ）による計時を開始し、そのタイマが満了するまでの所定時間（以下、「状態遷移時間」と呼ぶ）経過時に（２）の状態を開始する。状態遷移時間は、ＤＲＸ遷移時間よりも長い。
本実施形態では、基地局装置１０は、ＤＲＸ情報を所定の報知情報（例えば、報知チャネル（ＢＣＣＨ：Ｂｒｏａｄｃａｓｔ  Ｃｏｎｔｒｏｌ  ＣＨａｎｎｅｌ）で伝送されるシステム情報（ＳＩＢ：Ｓｙｓｔｅｍ  Ｉｎｆｏｒｍａｔｉｏｎ  Ｂｌｏｃｋ）に含めて送信する。端末装置２０ｂは、待ち受け状態にある端末装置２０ｂに対して受信可能とする。そして、Ｉ−ＤＲＸでは、端末装置２０ｂは、そのＤＲＸ周期で基地局装置１０から伝送されるページング（呼出）情報を待ち受ける。Ｉ−ＤＲＸに係るＤＲＸ周期は、「Ｉ−ＤＲＸ周期」、「ページング周期」とも呼ばれる。
以下の説明は、特に断らない限りＣ−ＤＲＸの場合を主とする。
【００２９】
（基地局装置）
次に、本実施形態に係る基地局装置１０の構成例について説明する。
図２は、本実施形態に係る基地局装置１０の構成例を示すブロック図である。
基地局装置１０は、送受信部１２と、制御部１６と、記憶部１８と、を含んで構成される。
送受信部１２は、自装置のカバレッジ内に在圏する端末装置２０と各種のデータを無線で送受信する。送受信部１２は、端末装置２０から電波で送信された無線周波数帯域の受信信号をダウンコンバートして基底周波数帯域の受信信号を生成し、生成した受信信号を制御部１６に出力する。送受信部１２は、制御部１６から入力される基底周波数帯域の送信信号をアップコンバートして無線周波数帯域の送信信号を生成し、電波で送出する。
送受信部１２は、例えば、無線通信インタフェースを含んで構成される。
【００３０】
制御部１６は、基地局装置１０としての通信に関わる様々な制御を行う。制御部１６は、例えば、端末装置２０との接続のための処理、端末装置２０からの受信データを通信相手となる相手先機器に送信するための処理、相手先機器から伝送される送信データを端末装置２０に送信するための処理、送受信部１２のキャリア周波数制御など、を行う。また、制御部１６は、コアネットワーク（図示せず）と接続され、コアネットワークからページング情報を受信することがある。制御部１６は、ページング情報に対する応答情報としてプリアンブルを端末装置２０から受信するとき、コアネットワークを介して相手先機器との接続を確立する。
制御部１６は、候補ＤＲＸ設定処理部１６２と、スケジューリング処理部１６４と、を含んで構成される。
【００３１】
候補ＤＲＸ設定処理部１６２は、ＤＲＸ設定記憶部１８２に予め記憶されている多数のＤＲＸ設定から、それらの一部である複数の候補ＤＲＸ設定を選択する。候補ＤＲＸ設定処理部１６２は、所定の基準に従って候補ＤＲＸ設定を選択してもよいし、ユーザの操作に応じて指示された候補ＤＲＸ設定を選択してもよい。候補ＤＲＸ設定処理部１６２は、選択した複数の候補ＤＲＸ設定をＤＲＸ設定記憶部１８２から読み出す。候補ＤＲＸ設定処理部１６２は、読み出した複数の候補ＤＲＸ設定を、送受信部１２を介して端末装置２０に送信する。候補ＤＲＸ設定処理部１６２は、例えば、端末装置２０との通信接続開始時に候補ＤＲＸ設定を通信パラメータに含めて、その端末装置２０に送信する。候補ＤＲＸ設定処理部１６２は、端末装置２０に送信する際、読み出した複数の候補ＤＲＸ設定を、例えば、報知チャネル、制御チャネルの一方又は両方に送信する。なお、報知チャネルを用いる場合、候補ＤＲＸ設定を送信する時点では、端末装置２０は、送信された候補ＤＲＸ設定を受信するとは限らない。そこで、報知チャネルを用いる送信においては、候補ＤＲＸ設定処理部１６２は、所定期間毎に選択した候補ＤＲＸ設定の送信を繰り返してもよい。
なお、候補ＤＲＸ設定処理部１６２は、ＤＲＸ設定記憶部１８２に予め記憶されている複数のＤＲＸ設定の全てを読み出し、読み出した複数の候補ＤＲＸ設定から特定の候補ＤＲＸ設定を選択せずにそのまま、送受信部１２を介して端末装置２０に送信してもよい。
【００３２】
スケジューリング処理部１６４は、自装置のカバレッジ内に在圏する各端末装置２０との通信をスケジューリングする。スケジューリング処理部１６４は、各端末装置２０との接続状態、通信能力などに応じてスケジューリング情報を定める。スケジューリング情報には、データの配置（無線リソース）、変調方式、コードレート等、データを送受信するためのパラメータが含まれる。スケジューリング処理部１６４は、通信接続状態にある端末装置２０に無線リソースを割り当て、割り当てた無線リソースを示すスケジューリング情報を生成する。無線リソースは、周波数、スロットなどで指定される。スロットとは、スケジューリングの単位となる期間である。１スロットは、例えば、０．１２５、０．２５、０．５、１ｍｓ等である。スケジューリング処理部１６４は、端末装置２０に送信データを送信する際、その端末装置２０について定めたスケジューリング情報に従って送信データを変調し、変調されたデータを指示される無線リソースに配置する。
【００３３】
スケジューリング処理部１６４は、端末装置２０宛のユーザデータを取得するとき、取得したユーザデータを含む送信データを、送信した複数の候補ＤＲＸ設定のそれぞれが示す受信期間の少なくとも開始時点において端末装置２０に送受信部１２を介して送信する。言い換えれば、スケジューリング処理部１６４は、通知した各候補ＤＲＸ設定が示す受信期間の少なくとも先頭において、送信データを複数の候補ＤＲＸ設定間で重複して送信することもあり得る。以下の説明では、複数のＤＲＸ設定のそれぞれが示す受信期間において同じ送信データを送信することを、「重複送信」と呼ぶことがある。
【００３４】
Ｃ−ＤＲＸを実行している端末装置２０に対しては、送信データは、例えば、スケジューリング情報とユーザデータが該当する。応答情報は、例えば、確認応答（ＡＣＫ：ＡＣＫｎｏｗｌｅｄｇｅｍｅｎｔ）を示すハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）情報が該当する。ＨＡＲＱ情報は、ＡＣＫ／ＮＡＣＫ（否定応答：Ｎｅｇａｔｉｖｅ−ＡＣＫｎｏｗｌｅｄｇｅｍｅｎｔ）情報とも呼ばれる。
【００３５】
スケジューリング処理部１６４は、送信した送信データに対する応答情報を端末装置２０から送受信部１２を介して受信した場合にスケジューリング処理部１６４は、未送信の送信データの端末装置２０への送信を開始し、その送信を継続する。応答情報を受信する場合には、端末装置２０は、送信データを受信することができ、ＤＲＸを解除し常時受信を開始するか、既に常時受信を行っていると推定されるためである。
なお、スケジューリング処理部１６４は、いずれの候補ＤＲＸ設定に係る受信期間に送信した送信データに対する応答情報（例えば、ＡＣＫ／ＮＡＣＫ情報、事前指示確認情報、プリアンブル信号）をも受信しない場合には、重複送信を繰り返してもよい（再送）。重複送信の繰り返し回数が、所定の繰り返し回数の閾値以上となるとき、スケジューリング処理部１６４は、重複送信を停止してもよい。
【００３６】
記憶部１８は、基地局装置１０が実行する処理に用いられる各種のデータ、その処理により取得した各種のデータを記憶する。記憶部１８には、例えば、基地局装置１０の処理を制御するためのプログラムや、端末装置２０やコアネットワークとの間で送受信されるデータが記憶される。記憶部１８は、ハードウェアとして、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの記憶媒体を含んで構成される。記憶部１８は、機能構成として、ＤＲＸ設定記憶部１８２を含んで構成される。
【００３７】
ＤＲＸ設定記憶部１８２には、予め複数の異なる候補ＤＲＸ設定を記憶しておく。候補ＤＲＸ設定は、ＤＲＸ周期と受信期間を示す設定情報である。ＤＲＸ周期は、受信を行う受信期間と受信を行わない非受信期間の繰り返しの単位となる期間である。受信期間は、個々のＤＲＸ周期内において受信を行う期間である。受信期間は、例えば、オフセットと継続時間で表される。オフセットは、１つのＤＲＸ周期の開始時を基準とする受信期間の開始時刻を示す。従って、オフセットと継続時間との和が、受信期間の終了時刻に相当する。ＤＲＸ設定記憶部１８２には、基地局装置１０の使用開始前に予め候補ＤＲＸ設定を記憶しておいてもよい。また、ＤＲＸ設定記憶部１８２は、制御部１６がコアネットワークから取得した候補ＤＲＸ設定を記憶してもよい。
【００３８】
（端末装置）
次に、本実施形態に係る端末装置２０の構成例について説明する。
図３は、本実施形態に係る端末装置２０の構成例を示すブロック図である。
端末装置２０は、送受信部２２と、制御部２６と、記憶部２８と、を含んで構成される。
送受信部２２は、他の機器と通信可能に接続し、各種のデータを送受信する通信部として機能する。送受信部２２は、例えば、無線通信インタフェースである。
【００３９】
制御部２６は、端末装置２０が有する機能を実現するための各種の処理を実行する。制御部２６は、端末装置２０としての通信に関わる様々な制御を行う。制御部２６は、例えば、相手先機器から基地局装置１０を介して伝送される受信データを受信するための処理、相手先機器に基地局装置１０を介して送信データを送信するための処理、送受信部２２のキャリア周波数制御など、を行う。その他、制御部２６は、常時受信、Ｃ−ＤＲＸ、Ｉ−ＤＲＸ、待ち受け、などの端末装置２０としての動作状態を制御する。制御部２６は、動作状態の制御に係る上述のタイマの計時の開始、終了を実行する。
制御部２６は、候補ＤＲＸ設定取得部２６２と、状況取得部２６６と、ＤＲＸ設定部２６８と、を含んで構成される。
【００４０】
候補ＤＲＸ設定取得部２６２は、基地局装置１０から送信される複数の候補ＤＲＸ設定を、送受信部２２を介して取得する。候補ＤＲＸ設定取得部２６２は、例えば、基地局装置１０との通信開始接続時に基地局装置１０から通信パラメータを受信し、受信した通信パラメータから候補ＤＲＸ設定を抽出する。この時点で取得した候補ＤＲＸ設定がＣ−ＤＲＸに用いられる。なお、候補ＤＲＸ設定取得部２６２は、自装置（端末装置２０）がＣ−ＤＲＸを実行するＣ−ＤＲＸ状態である場合には、制御チャネルをモニタし、モニタしている制御チャネルで送信される複数の候補ＤＲＸ設定を検出してもよい。候補ＤＲＸ設定取得部２６２は、自装置がＩ−ＤＲＸを実行するＩ−ＤＲＸ状態である場合には、報知チャネルを受信し、受信した報知チャネルで搬送される複数の候補ＤＲＸ設定を検出する。候補ＤＲＸ設定取得部２６２は、取得した候補ＤＲＸ設定を候補ＤＲＸ設定記憶部２８２に記憶する。
なお、基地局装置１０から候補ＤＲＸ設定が繰り返し送信されうるが、候補ＤＲＸ設定取得部２６２は、候補ＤＲＸ設定記憶部２８２に記憶された候補ＤＲＸ設定を、最新の候補ＤＲＸ設定に更新してもよい。自装置の動作状態が常時受信状態である場合でも、候補ＤＲＸ設定取得部２６２は、候補ＤＲＸ設定を受信してもよい。
【００４１】
状況取得部２６６は、自装置の動作状況を示す動作状況情報を取得する。状況取得部２６６は、例えば、アプリの種別、端末移動状態、時間帯、端末電力状態、使用周波数帯など、通信の必要性や要求される通信品質に応じた動作状況を検出する。
状況取得部２６６は、検出した動作状況を示す動作状況情報をＤＲＸ設定部２６８に出力する。
【００４２】
ＤＲＸ設定部２６８は、候補ＤＲＸ設定記憶部２８２に記憶された複数の候補ＤＲＸ設定を読み出し、読み出した複数の候補ＤＲＸ設定から、状況取得部２６６から入力される動作状況情報が示す動作状況に対応する１つの候補ＤＲＸ設定を選択する。ＤＲＸ設定部２６８には、動作状況とＤＲＸ設定との関係を示す関係テーブルを予め設定しておいてもよい。ＤＲＸ設定部２６８は、関係テーブルを参照して動作状況情報が示す動作状況に対応する候補ＤＲＸ設定を特定することができる。ＤＲＸ設定部２６８は、選択した候補ＤＲＸ設定をＤＲＸに用いるＤＲＸ設定として定める。
【００４３】
制御部２６は、ＤＲＸ設定部２６８が定めたＤＲＸ設定が示すＤＲＸ周期毎に、そのＤＲＸ設定で指定される受信期間において、基地局装置１０が送信した信号を、送受信部２２を介して受信する。当該信号に、基地局装置１０が自装置に向けて送信したデータが含まれていれば、制御部２６は、当該データに対する所定の応答情報を生成し、生成した応答情報を所定のスケジューリングに従って送受信部２２を介して基地局装置１０に送信する。応答情報のスケジューリングの例については、後述する。
【００４４】
記憶部２８は、端末装置２０が実行する処理に用いられる各種のデータ、その処理により取得した各種のデータを記憶する。記憶部２８には、例えば、端末装置２０の処理を制御するためのプログラムや、基地局装置１０との間で送受信されるデータが記憶される。記憶部２８は、ハードウェアとして、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの記憶媒体を含んで構成される。記憶部２８は、機能構成として、候補ＤＲＸ設定記憶部２８２を含んで構成される。候補ＤＲＸ設定記憶部２８２は、候補ＤＲＸ設定取得部２６２が取得した複数の候補ＤＲＸ設定を記憶する。
【００４５】
次に、動作状況とＤＲＸ設定の関係の例について説明する。
アプリの種別とは、制御部２６が実行しているアプリについて、その実行に係る処理に伴って、他機器からのデータの受信をどのように待ち受ける必要があるか、という観点で分類された種別を意味する。アプリの実行とは、そのアプリに記述された命令で指示される処理を実行することを意味する。アプリの種別には、例えば、低遅延での待ち受けを必要とするアプリ（以下、「低遅延待ち受けアプリ」と呼ぶ）、通常のアプリ（以下、「通常アプリ」と呼ぶ）、低遅延での待ち受けを必要としないアプリ（以下、「低遅延待ち受け不要アプリ」）、などの種別がある。低遅延待ち受けアプリには、例えば、緊急通報を実行するための緊急通報アプリなどがある。通常のアプリには、例えば、相手先機器との通話を実行するための通話アプリなどがある。低遅延待ち受け不要アプリには、例えば、電子メールの受信を行うための電子メールアプリなどがある。ＤＲＸ設定部２６８は、例えば、低遅延待ち受けアプリについては短周期ＤＲＸ設定を、通常アプリについては中周期ＤＲＸ設定を、低遅延待ち受け不要アプリについては長周期ＤＲＸ設定を設定すればよい。そこで、状況取得部２６６は、制御部２６が実行しているアプリを所定時間ごとに特定する。ＤＲＸ設定部２６８には、予めアプリ毎の候補ＤＲＸを示す関係テーブルを設定しておき、関係テーブルを参照して新たに特定したアプリに対応する候補ＤＲＸを特定すればよい。一例として、短周期ＤＲＸ設定、中周期ＤＲＸ設定、長周期ＤＲＸ設定に係るＤＲＸ周期は、それぞれ０．６４ｓ、１．２８ｓ、２．５６ｓである。
【００４６】
端末移動状態とは、無線通信の伝搬路の変化に影響する端末装置２０の移動状態を意味する。端末移動状態には、例えば、高速移動、低速移動、静止などの種別がある。ＤＲＸ設定部２６８は、例えば、高速移動については短周期ＤＲＸ設定を、低速移動については中周期ＤＲＸ設定を、静止については長周期ＤＲＸ設定を設定すればよい。そこで、状況取得部２６６は、例えば、端末装置２０が備える３軸の加速度センサが検出した各感度軸方向の加速度から重力加速度の成分を差し引いて得られる移動による成分を時間積分する。そして、状況取得部２６６は、時間積分により得られる速度を感度軸方向間での平方和の平方根を、端末装置２０の移動速度として検出する。ＤＲＸ設定部２６８は、予め設定した移動状態に対応する移動速度の範囲毎に候補ＤＲＸ設定との関係を示す関係テーブルを設定しておき、関係テーブルを参照して検出した移動速度が含まれる移動速度の範囲に対応する候補ＤＲＸ設定を特定すればよい。
【００４７】
時間帯とは、端末装置２０が待ち受け動作を行う時間帯を意味する。時間帯には、例えば、昼間、夜間、などの種別がある。ＤＲＸ設定部２６８は、例えば、昼間について中周期ＤＲＸ設定、夜間について長周期ＤＲＸ設定を設定すればよい。種別毎の時間帯は、状況取得部２６６に予め設定されていてもよいし、ユーザの操作入力に応じて指示された時間帯に変更可能としてもよい。状況取得部２６６は、現時刻を計時する。ＤＲＸ設定部２６８には、設定された時間帯毎の候補ＤＲＸを示す関係テーブルを予め設定しておき、現時刻が含まれる時間帯に対応する候補ＤＲＸを設定すればよい。
【００４８】
端末電力状態とは、自装置（端末装置２０）における電力の需給状態である。端末電力状態には、例えば、外部電源との接続の有無、ディスプレイなどの電力を消費するデバイスの動作の有無（オン／オフ）などが含まれ得る。ＤＲＸ設定部２６８は、例えば、電源との接続時について短周期ＤＲＸ設定を設定し、電源と非接続であってディスプレイの動作状態がオン状態であるとき中周期ＤＲＸ設定を設定し、電源と非接続であってディスプレイの動作状態がオフ状態であるとき長周期ＤＲＸ設定を設定すればよい。そこで、状況取得部２６６は、外部電源から供給される電力を検出し、検出した電力に基づいて接続の有無を判定する。また、状況取得部２６６は、端末装置２０が備えるデバイス毎の動作状態を特定する。ＤＲＸ設定部２６８には、設定された端末電力状態毎の候補ＤＲＸを示す関係テーブルを予め設定しておき、検出した端末電力状態に対応する候補ＤＲＸを設定すればよい。
【００４９】
使用周波数帯とは、端末が待ち受け動作を行っているセルの周波数帯を意味する。例えば、ミリ波帯等の高周波数帯で待ち受けている場合には、基地局装置１０からビームフォーミングを行って送信データを送信されている可能性がある。そのような場合にはビームの切り替わりにより端末装置２０には必ずしも基地局装置１０からの送信データが十分な強度を保ったまま届くとは限らない。このことを考慮して、基地局装置１０との同期を保つために、ＤＲＸ設定部２６８は、ある程度短い受信周期のＤＲＸ設定を選択する。逆に、より低い周波数帯が基地局装置１０との通信に使用されている場合には、ビームフォーミングではなくセル全体に送信データが送信される。そのような場合には、ＤＲＸ設定部２６８は、より長い周期のＤＲＸ設定を選択する。但し、ビームの切り替え、セル変更等は端末装置２０の移動状態にも関連するため、ＤＲＸ設定部２６８は、上述したように移動状態も考慮してＤＲＸ設定を行うことがより好適である。
なお、状況取得部２６６は、動作状況の要素となる要素情報を複数件取得することがある。ＤＲＸ設定部２６８は、複数件の要素情報のそれぞれに対応する候補ＤＲＸから、ＤＲＸ周期が最小となる候補ＤＲＸを選択してもよい。制御部２６は、選択した候補ＤＲＸで指示されるＤＲＸ周期毎の受信期間において受信データを受信する。状況取得部２６６は、実行中のアプリが２件以上存在する場合、ＤＲＸ設定部２６８は、それぞれのアプリについて独立に候補ＤＲＸを選択してもよいし、それぞれのアプリについて選択した候補ＤＲＸのうちＤＲＸ周期が最小となる候補ＤＲＸを選択してもよい。制御部２６は、実行中のアプリに係る通信において、そのアプリについて選択した候補ＤＲＸで指示されるＤＲＸ周期毎の受信期間において受信データを受信する。
また、ＤＲＸ設定部２６８は、複数の候補ＤＲＸ設定のうち、ユーザの操作入力に応じて指示された候補ＤＲＸ設定を特定してもよい。
【００５０】
（候補ＤＲＸ設定の例）
次に、候補ＤＲＸ設定の例について説明する。
図４は、候補ＤＲＸ設定の一例を示す概念図である。図４において横軸は、時刻を示す。時刻の単位は、スロット数である。１スロットは、例えば、０．５ｍｓの区間である。（ａ）、（ｂ）、（ｃ）は、それぞれ短周期ＤＲＸ設定、中周期ＤＲＸ設定、長周期ＤＲＸ設定の例である。図４に示す例では、短周期ＤＲＸ設定、中周期ＤＲＸ設定、長周期ＤＲＸ設定で指示されるＤＲＸ周期は、それぞれ１０、２０、４０スロットである。また、受信期間は、いずれの候補ＤＲＸ設定でも各ＤＲＸ周期の最初の３スロットである。個々の四角形は、モニタリングスロット、つまり受信期間内のスロットを示し、四角形が表されていない区間は非受信期間を示す。また、図４に示す例では、端末装置２０が、スロット０において複数の候補ＤＲＸ設定のうちいずれか１つを選択し、選択した候補ＤＲＸ設定に従ってＤＲＸを開始することを仮定している。スロット０−２において、（ａ）−（ｃ）の全ての候補ＤＲＸ設定が示す受信期間が重複し、以降の時刻において指定されたＤＲＸ周期で受信期間が反復する。
【００５１】
（送信例）
次に、端末装置２０からの応答情報の送信例と基地局装置１０からの送信データの送信例について説明する。次に説明する例は、端末装置２０によるＣ−ＤＲＸへの適用例である。
図５は、送信データと応答情報の送信タイミングの関係の一例を示す図である。
図５は、下りの送信データに対するＡＣＫ／ＮＡＣＫ情報を応答情報として、下りの送信データを送信又は受信するスロット（下りスロット）からｍ（ｍは、１以上の整数）スロット後のスロット（上りスロット）に基地局装置１０に送信する場合を示す。下りスロットにおいて、基地局装置１０のスケジューリング処理部１６４は、スケジューリング情報ａとユーザデータｂを送信データとして送信する。端末装置２０の制御部２６は、基地局装置１０が送信した送信データを受信データとして受信し、受信データについてスロット毎に誤り検出処理を行って、誤りが検出されたか否かを判定する。制御部２６は、誤りを検出せず正常に受信したと判定するとき、肯定応答を応答情報ｃとして生成し、上りスロットにおいて生成した応答情報ｃを基地局装置１０に送信する。制御部２６は、誤りを検出し正常に受信しなかったと判定するとき、否定応答を応答情報ｃとして生成し、上りスロットにおいて生成した応答情報ｃを基地局装置１０に送信する。
【００５２】
次に、基地局装置１０からの送信データの送信例について説明する。
図６、図７は、それぞれ送信データの送信例を示す図である。
図６に示す例では、基地局装置１０の候補ＤＲＸ設定処理部１６２が図４の（ａ）−（ｃ）に示す３個の候補ＤＲＸ設定を端末装置２０に送信し、スケジューリング処理部１６４がタイミングＴ０（スロット１０）において送信データを取得した場合を例にする。また基地局装置１０のスケジューリング処理部１６４は、送信データを取得したスロットの次のスロットのタイミングで送信可能とする。この例では、ｍ＝３である。また、それぞれ候補ＤＲＸ設定に係るＤＲＸ周期がスロット０において開始される。
【００５３】
図５に示す送信データの送信タイミングと、その送信データに対する応答情報の送信タイミングとの関係が採用されているとき、基地局装置１０のスケジューリング処理部１６４は、それぞれの候補ＤＲＸ設定が示す各ＤＲＸ周期について受信期間の開始時から少なくともｍ（＝３）スロット後のスロットまでのｍ＋１（＝４）スロットの送信期間において、送信データを送信する。また、スケジューリング処理部１６４は、それぞれの候補ＤＲＸ設定のＤＲＸ周期において、端末装置２０からの応答信号を受信できなかった場合に、未選択の別の候補ＤＲＸ設定を選択し、選択した候補ＤＲＸ設定で与えられる受信期間の開始時から開始される送信期間において送信データの送信する処理を繰り返す。スケジューリング処理部１６４は、端末装置２０から確認応答を受信するまで、この処理の繰り返しを実行する。
【００５４】
図６（ａ）は、端末装置２０のＤＲＸ設定部２６８が短周期ＤＲＸ設定を選択している場合を例にする。基地局装置１０のスケジューリング処理部１６４は、スロット１０で取得した送信データを短周期ＤＲＸ設定の受信周期内である次のスロット１１から端末装置２０からの応答信号を受信できる可能性のあるスロット１４までの間、送信データを端末装置２０に送信する。端末装置２０の制御部２６は、受信期間であるスロット１０−１２において基地局装置１０からの送信データを受信可能とする。端末装置２０の制御部２６は、スロット１１において送信データを正常に受信するとき、ＤＲＸを解除して常時受信を開始し、スロット１１における送信データに対する確認応答をスロット１４において基地局装置１０に送信する。そして、基地局装置１０のスケジューリング処理部１６４は、端末装置２０から確認応答を受信するとき、端末装置２０がＤＲＸ状態を解除したと判断し、スロット１５から未送信の送信データを継続して端末装置２０に送信する。
【００５５】
図６（ｂ）は、端末装置２０のＤＲＸ設定部２６８が中周期ＤＲＸ設定を選択している場合を例にする。基地局装置１０のスケジューリング処理部１６４は、前述した通りに短周期ＤＲＸ設定の送信期間であるスロット１１−１４の間、送信データを端末装置２０に送信する。しかしながら、スロット１１−１４は、いずれも中周期ＤＲＸ設定が示す受信期間外であるため、端末装置２０の制御部２６は、基地局装置１０からの送信データを受信できない。そして、基地局装置１０のスケジューリング処理部１６４は、端末装置２０は短周期ＤＲＸ設定を使用していないと判断し、中周期ＤＲＸ設定が示す受信期間の開始時を起点とする送信期間（基地局装置１０が送信データを送信したスロットから、端末装置２０からの応答信号を受信できる可能性のあるスロットまでの期間）であるスロット２０−２３の間、送信データを端末装置２０に送信する。端末装置２０の制御部２６は、受信期間であるスロット２０−２２の開始時点のスロット２０において基地局装置１０からの送信データを正常に受信するとき、ＤＲＸを解除して常時受信を開始し、スロット２０における送信データに対する確認応答を基地局装置１０にスロット２３において送信する。そして、基地局装置１０のスケジューリング処理部１６４は、端末装置２０から確認応答を受信するとき、端末装置２０がＤＲＸ状態を解除したと判断し、スロット２４から未送信の送信データを継続して端末装置２０に送信する。
【００５６】
図６（ｃ）は、端末装置２０のＤＲＸ設定部２６８が長周期ＤＲＸ設定を選択している場合を例にする。基地局装置１０のスケジューリング処理部１６４は、前述した通りに短周期ＤＲＸ設定の送信期間であるスロット１１−１４の間、送信データを端末装置２０に送信する。しかしながら、スロット１１−１４は、いずれも長周期ＤＲＸ設定の受信期間外であるため、端末装置２０の制御部２６は、基地局装置１０からの送信データを受信できない。基地局装置１０のスケジューリング処理部１６４は、端末装置２０は短周期ＤＲＸ設定を使用していないと判断し、中周期ＤＲＸ設定が示す受信周期の開始時を起点とする送信期間であるスロット２０−２３の間、送信データを端末装置２０に送信する。スロット２０−２３は、いずれも長周期ＤＲＸ設定が示す受信期間の範囲外であるため、端末装置２０の制御部２６は、基地局装置１０からの送信データを受信できない。そして、基地局装置１０のスケジューリング処理部１６４は、端末装置２０は中周期ＤＲＸ設定を使用していないと判断し、長周期ＤＲＸ設定の受信周期の開始時を起点とする送信期間であるスロット４０−４３の間、送信データを端末装置２０に送信する。制御部２６は、長周期ＤＲＸ設定が示す受信期間であるスロット４０−４２の開始時点のスロット４０において送信データを正常に受信するとき、ＤＲＸを解除して常時受信を開始し、スロット４０における送信データに対する確認応答をスロット４３において基地局装置１０に送信する。そして、基地局装置１０のスケジューリング処理部１６４は、端末装置２０から確認応答を受信するとき、端末装置２０がＤＲＸ状態を解除したと判断し、スロット４４から未送信の送信データを継続して端末装置２０に送信する。
なお、端末装置２０がＤＲＸ設定を頻繁に変更することを仮定して、スケジューリング処理部１６４は、すべての候補ＤＲＸ設定の受信期間のそれぞれに対して、送信データを送信するようにしてもよい。例えば、図６（ｃ）の例において、スケジューリング処理部１６４は、端末装置２０は短周期ＤＲＸ設定も長周期ＤＲＸ設定も使用していないと判断して、スロット３０−３３をスキップしてスロット４０−４３の間で送信データを送信しているが、端末装置２０がＤＲＸ設定を変更している可能性を考慮し、スロット３０−３３の間でも送信データを送信してもよい。
【００５７】
図７は、タイミングＴ１（スロット３８）において、基地局装置１０のスケジューリング処理部１６４が送信データを取得した場合を例にする。また、スケジューリング処理部１６４は送信データを取得したスロットの次のスロットのタイミングで、その送信データを送信可能とする。この例では、スロット４０−４２は、長周期ＤＲＸ設定、中周期ＤＲＸ設定、短周期ＤＲＸ設定の共通の受信期間である。スロット４０−４２において、基地局装置１０のスケジューリング処理部１６４は、端末装置２０に取得した送信データを送信する。
端末装置２０の制御部２６は、スロット４０において送信データを基地局装置１０から正常に受信するとき、ＤＲＸを解除して常時受信を開始し、スロット４０における送信データに対する確認応答を基地局装置１０にスロット４３において送信する。そして、基地局装置１０のスケジューリング処理部１６４は、端末装置２０から確認応答を受信し、未送信の送信データを継続して送信する。従って、スケジューリング処理部１６４は、タイミングＴ０において送信データを取得した場合に、端末装置２０が中周期ＤＲＸ設定や長周期ＤＲＸ設定を使用している場合のように送信データを重複して送信せずに、送信データの送信を継続することができる。
【００５８】
図６、７に示すように、送信データを送信するタイミングによって、送信データの重複送信が発生する可能性が異なる。また、候補ＤＲＸ設定間で互いに受信期間が重複するスロットでは、いずれの候補ＤＲＸ設定が選択されていても、送信データの重複送信が解除される。そこで、ＤＲＸ設定記憶部１８２には、複数の候補ＤＲＸ設定間で受信期間が互いに重複するように予め候補ＤＲＸ設定を記憶しておいてもよい。また、候補ＤＲＸ設定処理部１６２は、ＤＲＸ設定記憶部１８２に記憶された候補ＤＲＸ設定から、受信期間が互いに重複する複数の候補ＤＲＸ設定を受信してもよい。
さらに、複数の候補ＤＲＸ設定のそれぞれのＤＲＸ周期は、最短ＤＲＸ周期の整数倍であってもよい。最短ＤＲＸ周期は、複数の候補ＤＲＸ設定のそれぞれのＤＲＸ周期のうち、最も短いＤＲＸ周期を意味する。
【００５９】
なお、図６、７に示す例では、ｍ＝３としているが、これには限らない。ｍが小さいほど、候補ＤＲＸ設定により与えられる受信期間ごとに基地局装置１０が送信データを重複送信するスロット数ｍ＋１を少なくすることができる。
例えば、図８に示すＳｅｌｆ−ｃｏｎｓｔｒａｉｎｅｄ  ｏｐｅｒａｔｉｏｎ（自己完結運用）の場合には、端末装置２０が受信期間でない場合に受信されずに無用となる情報量として、基地局装置１０が送信データを送信するスロット数を１個に限定することができる。また、基地局装置１０と端末装置２０との間の通信において、時分割多重方式（ＴＤＤ：Ｔｉｍｅ  Ｄｉｖｉｓｉｏｎ  Ｄｕｐｌｅｘ）が採用されている場合には、ｍは可変となりうる。ｍは、基地局装置１０のスケジューリング処理部１６４が生成するスケジューリング情報に含めて端末装置２０に通知される。あるいは、スケジューリング処理部１６４には、予めスロット番号に応じた送信スロットを定義しておいてもよい。
【００６０】
図８に示す送信データと応答情報のタイミングの例では、基地局装置１０のスケジューリング処理部１６４は、スケジューリング情報ａとユーザデータｂを１つのスロットの一部である所定の下り信号区間において端末装置２０に送信する。下り信号区間は、そのスロットの先頭から開始される。端末装置２０の制御部２６は、そのスロットの下り信号区間において基地局装置１０が送信した送信データを受信データとして受信し、受信データについて誤り検出処理を行って、誤りが検出されたか否かを判定する。制御部２６は、誤りを検出せず正常に受信したと判定するとき、肯定応答を応答情報ｃとして生成し、誤りを検出し正常に受信しなかったと判定するとき、否定応答を応答情報ｃとして生成し、そのスロットと共通のスロットである他の一部である所定の上り信号区間において応答情報ｃを基地局装置１０に送信する。上り信号区間は、そのスロットの末尾において終了する。上り信号区間の先頭は、下り信号区間の末尾よりも後の時刻、つまり、上り信号区間と下り信号区間との間に間隙（ギャップ）が設けられてもよい。
【００６１】
なお、基地局装置１０のスケジューリング処理部１６４は、１回の応答情報ｃを受信するときに、端末装置２０がＤＲＸ状態を解除したと判断し、端末装置２０への送信データの送信を継続すると判定していたが、これには限られない。スケジューリング処理部１６４は、例えば、時間的に連続するｌ（ｌは、２以上の整数）スロット内で１スロットでも応答情報ｃを受信するときに端末装置２０がＤＲＸ状態を解除したと判断し、端末装置２０に未送信の送信データの送信を継続すると判定してもよい。即ち、スケジューリング処理部１６４は、ｌスロット連続して応答情報ｃを受信しないとき、端末装置２０はＤＲＸ状態であると判断し、送信データの送信を継続しない。ここで、スケジューリング処理部１６４は、それぞれの候補ＤＲＸ設定が示す各ＤＲＸ周期について受信期間の開始時から少なくともｍ＋ｌスロット後のスロットまでの送信期間内の各スロットにおいて送信データを送信する。これにより、伝搬品質が劣る場合に送信データが送信されずに積滞することを回避することができる。
なお、上述の例では、基地局装置１０のスケジューリング処理部１６４が、肯定応答、あるいは否定応答を示す応答情報ｃを受信するまで、他の候補ＤＲＸ設定が示す受信期間に対応する送信期間において、送信データを送信するという一連の処理を、順次未処理の他の候補ＤＲＸ設定に更新して繰り返す場合を例にしたが、これには限られない。スケジューリング処理部１６４は、未処理の他の候補ＤＲＸ設定が示す受信期間の開始時点までに、その直前の候補ＤＲＸが示す受信期間に対応する送信期間において送信された送信データについての肯定応答、あるいは否定応答を示す応答情報ｃを受信しない場合があり得る。その場合において、スケジューリング処理部１６４は、その一連の処理を、未処理の他の候補ＤＲＸ設定に更新して繰り返すと判断してもよい。
あるいは、その場合において、未処理の他の候補ＤＲＸ設定が示す受信期間の開始時点が過ぎてしまっても、スケジューリング処理部１６４は、応答情報ｃを受信できるタイミング(送信期間)まで、送信データを送信し続けてもよい。端末装置２０が、未処理の他の候補ＤＲＸ設定を用いている場合でも、スケジューリング処理部１６４が送信し続けた送信データを受信できるためである。応答情報ｃを受信できるタイミングにおいて、応答情報ｃを受信しなかった場合には、スケジューリング処理部１６４は、未処理の他の候補ＤＲＸ設定が示す受信期間に対応する送信期間において、送信データを送信すればよい。
【００６２】
なお、図９に示すように、基地局装置１０のスケジューリング処理部１６４は、端末装置２０宛の送信データを取得するとき、端末装置２０が受信期間である可能性のあるスロットの下り信号区間において、所定のｎ（ｎは、１以上の整数）スロット後に自装置（端末装置２０）宛の送信データ（即ち、スケジューリング情報ａとユーザデータｂ）の存在を示す事前指示情報ｇｒを、端末装置２０に送信してもよい。端末装置２０の制御部２６は、基地局装置１０から事前指示情報ｇｒを受信するとき、事前指示確認情報ｇｔを生成し、事前指示情報ｇｒを受信したスロット内の上り信号区間において事前指示確認情報ｇｔを基地局装置１０に送信する。事前指示確認情報ｇｔは、端末装置２０において事前指示情報ｇｒを受信したことを示す確認情報である。基地局装置１０のスケジューリング処理部１６４は、事前指示情報ｇｒを送信したスロット内の上り信号区間において事前指示確認情報ｇｔを端末装置２０から受信するとき、事前指示確認情報ｇｔを送信したスロットからｎスロット後のスロットにおいて、送信データを送信する。
【００６３】
本実施形態では、スケジューリング処理部１６４は、複数の候補ＤＲＸのそれぞれが示す受信期間の先頭のスロットにおいて、事前指示情報ｇｒを端末装置２０に送信する。端末装置２０の制御部２６は、少なくとも事前指示情報ｇｒを受信したスロットからｎスロット後以降のスロットにおいて、ＤＲＸ（実行している場合）を停止し、基地局装置１０からの送信信号の常時受信を開始する。これに対し、基地局装置１０のスケジューリング処理部１６４は、そのｎスロット後のスロットから継続して送信データを送信する。図９に示す例では、基地局装置１０からの送信データの送信するスロットにおいて、図８に例示される自己完結運用が適用されている。
【００６４】
事前指示情報ｇｒは、情報量が比較的少ないため、一回の送信に要するスロット数は１スロットで足りる。従って、事前指示情報ｇｒを重複送信の対象とすることで、送信データ自体を重複送信の対象とせずに済むうえ、重複送信を行う可能性のあるスロットを各候補ＤＲＸ設定が示す受信期間の先頭の１スロットに限定することができる。また、各候補ＤＲＸ設定の受信期間を短くすることが許容されるため、端末装置２０の消費電力を低減することができる。
【００６５】
図１０は、基地局装置１０が図９に示すような事前指示情報ｇｒを送信する場合における、候補ＤＲＸ設定の例を示す図である。（ａ）、（ｂ）、（ｃ）は、それぞれ短周期ＤＲＸ設定、中周期ＤＲＸ設定、長周期ＤＲＸ設定の例である。図１０に示す短周期ＤＲＸ設定、中周期ＤＲＸ設定、長周期ＤＲＸ設定それぞれのＤＲＸ周期は、図４に示すＤＲＸ周期と同様に、それぞれ１０、２０、４０スロットである。但し、受信期間は、いずれの候補ＤＲＸ設定でも、事前指示情報ｇｒを受信するための、各ＤＲＸ周期の最初の１スロットに限られる。
【００６６】
次に、基地局装置１０からの送信データの送信例について説明する。
図１１は、タイミングＴ２（スロット９）において基地局装置１０のスケジューリング処理部１６４が送信データを取得する場合を例にする。但し、ｎ＝４とする。図１１において、四角形で囲まれる「ｇ」は、事前指示情報ｇｒと事前指示確認情報ｇｔが送受信されるスロットを示す。
図１１（ａ）に示す例では、端末装置２０のＤＲＸ設定部２６８が短周期ＤＲＸ設定を選択している場合を例にする。基地局装置１０のスケジューリング処理部１６４は、短周期ＤＲＸ設定の受信周期の先頭のスロット１０において事前指示情報ｇｒを端末装置２０に送信する。端末装置２０の制御部２６は、受信期間であるスロット１０において事前指示情報ｇｒを受信し、その応答情報としてスロット１０において事前指示確認情報ｇｔを基地局装置１０に送信する。端末装置２０の制御部２６は、スロット１０から４スロット後のスロット１４においてＤＲＸを停止し、常時受信を開始する。他方、基地局装置１０のスケジューリング処理部１６４は、端末装置２０から事前指示確認情報ｇｔをスロット１０において受信するとき、端末装置２０がＤＲＸ状態を解除したと判断し、その４スロット後のスロット１４から端末装置２０宛の送信データの継続的な送信を開始する。
【００６７】
図１１（ｂ）は、端末装置２０のＤＲＸ設定部２６８が中周期ＤＲＸを選択している場合を例にする。基地局装置１０のスケジューリング処理部１６４は、短周期ＤＲＸの受信期間であるスロット１０において事前指示情報ｇｒを端末装置２０に送信する。しかしながら、スロット１０は、いずれも中周期ＤＲＸ設定の受信期間の範囲外であるため、端末装置２０の制御部２６は、基地局装置１０からの事前指示情報ｇｒを受信できない。そして、基地局装置１０のスケジューリング処理部１６４は、中周期ＤＲＸの受信期間であるスロット２０において事前指示情報ｇｒを送信する。端末装置２０の制御部２６は、受信期間であるスロット２０において事前指示情報ｇｒを正常に受信するとき、その応答情報としてスロット２０において事前指示確認情報ｇｔを基地局装置１０に送信し、ＤＲＸを解除して常時受信を開始する。そして、基地局装置１０のスケジューリング処理部１６４は、端末装置２０から事前指示確認情報ｇｔをスロット２０において受信するとき、端末装置２０がＤＲＸ状態を解除したと判断し、スロット２０の４スロット後であるスロット２４から送信データの継続的な送信を開始する。
【００６８】
図１１（ｃ）は、端末装置２０のＤＲＸ設定部２６８が長周期ＤＲＸを選択している場合を例にする。基地局装置１０のスケジューリング処理部１６４は、短周期ＤＲＸの受信期間であるスロット１０において事前指示情報ｇｒを端末装置２０に送信する。しかしながら、スロット１０は、長周期ＤＲＸの受信期間外の範囲外であるため、端末装置２０の制御部２６は、基地局装置１０からの事前指示情報ｇｒを受信できない。そして、基地局装置１０のスケジューリング処理部１６４は、中周期ＤＲＸの受信期間であるスロット２０において事前指示情報ｇｒを送信する。スロット２０は、いずれも長周期ＤＲＸの受信期間の範囲外であるため、端末装置２０の制御部２６は、基地局装置１０からの事前指示情報ｇｒを受信できない。そして、基地局装置１０のスケジューリング処理部１６４は、長周期ＤＲＸの受信期間であるスロット４０において送信データを送信する。端末装置２０の制御部２６は、長周期ＤＲＸの受信期間であるスロット４０において事前指示情報ｇｒを正常に受信するとき、スロット４０における事前指示情報ｇｒに対する応答情報として、事前指示確認情報ｇｔをスロット４０において基地局装置１０に送信し、ＤＲＸを解除して常時受信を開始する。そして、基地局装置１０のスケジューリング処理部１６４は、端末装置２０から事前指示確認情報ｇｔを受信するとき、端末装置２０がＤＲＸ状態を解除したと判断し、スロット４０の４スロット後であるスロット４４から送信データの継続的な送信を開始する。
【００６９】
図１２は、タイミングＴ３（スロット３７）において送信データが取得される場合を例にする。この例では、スロット４０は、長周期ＤＲＸ設定、中周期ＤＲＸ設定、短周期ＤＲＸ設定の共通の受信期間である。スロット４０において、基地局装置１０のスケジューリング処理部１６４は、端末装置２０に事前指示情報ｇｒを送信する。端末装置２０の制御部２６は、スロット４０において事前指示情報ｇｒを基地局装置１０から正常に受信するとき、その応答情報として事前指示確認情報ｇｔをスロット４０において基地局装置１０に送信し、ＤＲＸを解除して常時受信を開始する。そして、基地局装置１０のスケジューリング処理部１６４は、スロット４０において端末装置２０から事前指示確認情報ｇｔを受信するとき、端末装置２０がＤＲＸ状態を解除したと判断し、スロット４０の４スロット後であるスロット４４から送信データの継続的な送信を開始する。
【００７０】
（送信処理）
次に、本実施形態に係る基地局装置１０による処理の例について説明する。
図１３は、本実施形態に係る基地局装置１０による処理の一例を示すフローチャートである。
（ステップＳ１０２）基地局装置１０の候補ＤＲＸ設定処理部１６２は、ＤＲＸ設定記憶部１８２に予め記憶されているＤＲＸ設定から、端末装置２０に通知する候補ＤＲＸを決定する。その後、ステップＳ１０４の処理に進む。
（ステップＳ１０４）候補ＤＲＸ設定処理部１６２は、決定した候補ＤＲＸを端末装置２０に通知する。その後、ステップＳ１０６の処理に進む。
（ステップＳ１０６）スケジューリング処理部１６４は、端末装置２０への送信データ（ユーザデータ）を取得する。その後、ステップＳ１０８の処理に進む。
【００７１】
（ステップＳ１０８）スケジューリング処理部１６４は、端末装置２０の動作状態がＤＲＸ状態であるか、常時受信状態であるかを判定する。上述のように、端末装置２０の制御部２６は、送信データがなくなるときにＤＲＸタイマの計時を開始し、計時開始からＤＲＸ遷移時間が経過するときにＤＲＸを開始する。図１３に示す例では、スケジューリング処理部１６４は、端末装置２０と同様のＤＲＸタイマを有し、端末装置２０と送受信される送信データがなくなるときにＤＲＸタイマによる計時を開始する。スケジューリング処理部１６４は、計時開始からＤＲＸ遷移時間が経過してＤＲＸタイマが満了するときに端末装置２０におけるＤＲＸの開始を推定することができる。そこで、スケジューリング処理部１６４は、計時開始からＤＲＸ遷移時間が経過するまでの間、端末装置２０の動作状態が常時受信状態であると判定し、計時開始からＤＲＸ遷移時間が経過した後、端末装置２０がＤＲＸ状態であると判定する。端末装置２０の動作状態が常時受信状態であると判定するとき（ステップＳ１０８  ＮＯ）、ステップＳ１１８の処理に進む。端末装置２０の動作状態がＤＲＸ状態であると判定するとき（ステップＳ１０８  ＹＥＳ）、ステップＳ１１０の処理に進む。
【００７２】
（ステップＳ１１０）スケジューリング処理部１６４は、ステップＳ１０６で推定したＤＲＸの開始時刻を起点（例えば、図４、図１０のスロット０）として、通知した候補ＤＲＸ設定のそれぞれが示す受信期間がそのＤＲＸ周期毎に繰り返されるものと推定することができる。そして、スケジューリング処理部１６４は、推定した受信期間に基づいて送信データを送信する送信期間を定める。送信期間は、上述したように送信データの送信から、その送信データに対する応答情報の送信までの期間もさらに考慮して定められる。図６に示す例では、送信期間は、ＤＲＸ周期毎の受信期間内の少なくとも１スロットに、その期間を加えた期間に相当する。より具体的には、図６に示すスロット１１−１４、２０−２３が、この送信期間に相当する。そのため、送信期間には、ＤＲＸ設定が示す受信期間外となる区間も含まれ得る。スケジューリング処理部１６４は、現時点（スロット）が決定した送信期間内であるか否かを判定する。送信期間内と判定するとき（ステップＳ１１０  ＹＥＳ）、ステップＳ１１２の処理に進む。送信期間外と判定するとき（ステップＳ１１０  ＮＯ）、ステップＳ１１４の処理に進む。なお、現時点が既に端末装置２０において用いられたＤＲＸ設定ではないと判定されたＤＲＸ設定が示す受信期間に対応する送信期間内と判断できる場合には（例えば、図６のスロット３０−３３では、既に短周期ＤＲＸ設定が用いられていないと判断されている）、スケジューリング処理部１６４は、現時点がそのＤＲＸ設定が示す受信期間に対応する送信期間内であっても場合でも送信期間外と判定し、現時点における送信を避けてもよい。
（ステップＳ１１２）スケジューリング処理部１６４は、現時点のスロットにおいて、スケジューリング情報と、ユーザデータの少なくとも一部を送信データとして端末装置２０に送信する。その後、ステップＳ１１４の処理に進む。
【００７３】
（ステップＳ１１４）スケジューリング処理部１６４は、送信した送信データに対する応答情報を送信時から所定のタイミングで受信したか否かを判定する。応答情報を受信したとき（ステップＳ１１４  ＹＥＳ）、ステップＳ１１６の処理に進む。応答情報を受信しないとき（ステップＳ１１４  ＮＯ）、ステップＳ１１０の処理に戻る。
（ステップＳ１１６）スケジューリング処理部１６４は、スケジューリング情報と未送信のユーザデータを送信データとして端末装置２０に送信する処理を継続する。その後、図１３に示す処理を終了する。
（ステップＳ１１８）スケジューリング処理部１６４は、スケジューリング情報と取得したユーザデータを送信データとして端末装置２０に送信する。その後、図１３に示す処理を終了する。
【００７４】
（受信処理）
次に、本実施形態に係る端末装置２０による処理の例について説明する。
図１４は、本実施形態に係る端末装置２０による処理の一例を示すフローチャートである。
（ステップＳ２０２）端末装置２０の候補ＤＲＸ設定取得部２６２は、基地局装置１０から複数の候補ＤＲＸ設定を取得し、候補ＤＲＸ設定記憶部２８２に記憶する。その後、ステップＳ２０４の処理に進む。
（ステップＳ２０４）状況取得部２６６は、上述の手法を実行して自装置の動作状況を検出する。その後、ステップＳ２０６の処理に進む。
（ステップＳ２０６）ＤＲＸ設定部２６８は、候補ＤＲＸ設定記憶部２８２に記憶された候補ＤＲＸから、検出された動作状況に対応する候補ＤＲＸ設定を選択する。その後、ステップＳ２０８の処理に進む。
【００７５】
（ステップＳ２０８）制御部２６は、選択された候補ＤＲＸ設定に基づいてＤＲＸを実行する。より具体的には、制御部２６は、選択された候補ＤＲＸ設定が示すＤＲＸ周期毎に、その候補ＤＲＸ設定が示す受信期間において基地局装置１０からの各種のデータを受信可能とする。その後、ステップＳ２１０の処理に進む。
（ステップＳ２１０）制御部２６は、受信期間において自装置宛の送信データ（スケジューリング情報、ユーザデータ）の検出を試みる。自装置宛の送信データが正常に検出されるとき（ステップＳ２１０  ＹＥＳ）、ステップＳ２１６の処理に進む。自装置宛の送信データが正常に検出されないとき、ステップＳ２１２の処理に進む。
【００７６】
（ステップＳ２１２）状況取得部２６６により検出される動作状況が変化するとき（ステップＳ２１２  ＹＥＳ）、ステップＳ２１４の処理に進む。動作状況が変化しないとき（ステップＳ２１２  ＮＯ）、ステップＳ２０８の処理に進む。
（ステップＳ２１４）ＤＲＸ設定部２６８は、変化した動作状況に対応する候補ＤＲＸ設定を選択する（更新）。その後、ステップＳ２０８の処理に進む。
（ステップＳ２１６）制御部２６は、ＤＲＸを停止し、正常に検出した送信データに対する応答情報を生成し、生成した応答情報を所定のタイミングで基地局装置１０に送信する。制御部２６は、常時受信を開始する。その後、図１４に示す処理を終了する。
【００７７】
なお、上述の処理は、主にＣ−ＤＲＸの場合を例にしたが、Ｉ−ＤＲＸについても適用することができる。例えば、Ｃ−ＤＲＸにおけるスケジューリング情報とユーザデータに代えて、送信データとしてページング情報を適用すればよい。また、Ｃ−ＤＲＸにおけるＡＣＫ／ＮＡＣＫ情報に代えて、送信データとしてプリアンブル信号を適用すればよい。プリアンブル信号は、例えば、物理ランダムアクセスチャネル（ＰＲＡＣＨ：Ｐｈｙｓｉｃａｌ  Ｒａｎｄｏｍ  Ａｃｃｅｓｓ  ＣＨａｎｎｅｌ）を介して送信される。
【００７８】
以上に説明したように、本実施形態に係る基地局装置１０は、端末装置２０と無線で通信する通信部（送受信部１２）と、制御部１６と、を備える。制御部１６は、複数の間欠受信設定の候補を示す間欠受信情報を端末装置２０に通知し、複数の間欠受信設定の候補がそれぞれ示す受信期間の少なくとも一部において端末装置２０に送信データを送信する。
そして、端末装置２０から送信データに対する応答情報を受信するとき、端末装置２０への送信データの送信を継続する。
また、端末装置２０は、基地局装置１０と無線で通信する通信部（送受信部２２）と、制御部２６と、を備える。制御部２６は、自装置の動作状況を示す動作状況情報を取得し、基地局装置１０から受信した間欠受信情報が示す複数の間欠受信設定の候補から動作状況情報に基づいて１つの間欠受信設定を設定する。また、制御部２６は、設定した間欠受信設定が示す受信期間において基地局装置１０からの送信データを受信するとき、送信データに対する応答情報を基地局装置１０に送信する。
なお、個々の間欠受信設定の候補は、間欠受信周期と間欠受信周期内の受信期間を表す。本実施形態では、間欠受信情報として、複数の間欠受信設定自体が送受信される。
【００７９】
この構成によれば、端末装置２０は、通知された複数の間欠受信設定の候補から、自装置の動作状況に応じて１つを選択し、選択した間欠受信設定の候補を間欠受信に用いることができる。そして、基地局装置１０は、端末装置２０からの応答情報の受信に応じて、送信データの送信を継続するので、端末装置２０において選択された間欠受信設定の候補の通知を受ける必要がない。そのため、端末装置２０における自由度の高い間欠受信設定の選択を可能としながら基地局装置１０における処理量の負荷の増加を抑制することができる。
【００８０】
また、基地局装置１０の制御部１６は、間欠受信設定の候補がそれぞれ示す受信期間の最初の送信スロットから所定スロット後の送信スロットまでの送信期間において端末装置２０に送信データを送信し、送信スロットから所定スロット後の受信スロットにおいて、当該送信スロットにおける送信データに対する応答情報を受信するとき、送信データの送信を継続してもよい。
この構成によれば、端末装置２０が間欠受信の受信期間において送信データを受信したスロットから所定スロット後に送信スロットに対する応答情報を基地局装置１０に送信し、間欠受信を停止するとき、基地局装置１０から遅滞なく送信データを端末装置２０に送信することができる。
【００８１】
また、基地局装置１０の制御部１６は、間欠受信設定の候補がそれぞれ示す受信期間の最初の送信スロットにおいて端末装置２０に送信データを送信し、送信スロットと共通のスロットにおいて、当該送信データに対する応答情報を受信してもよい。
この構成によれば、端末装置２０が間欠受信の受信期間において送信データを受信したスロットと共通のスロットにおいて、その送信データに対する応答情報を基地局装置１０に送信するとき、基地局装置１０の制御部１６は、送信データを送信したスロットが端末装置２０における間欠受信の受信期間内であることを認識することができる。そのため、基地局装置１０の制御部１６は、送信データを送信した送信スロットから所定スロット後において、端末装置２０への送信データの送信を開始することができる。また、端末装置２０は、送信データの受信に応じて間欠受信を停止し、送信データの受信から所定スロット後から、基地局装置１０が送信する残りの送信データを受信することができる。また、間欠受信設定の候補毎に送信する送信データの情報量を各１スロットに限定することができるので、端末装置２０の受信期間外に到来し、受信できない送信データの情報量を減少させることができ、結果として通信リソースの利用効率の低下を抑えることができる。
【００８２】
また、基地局装置１０の制御部１６は、間欠受信設定の候補がそれぞれ示す受信期間の最初の送信スロットにおいて前記端末装置に指示情報を送信し、送信スロットと共通のスロットにおいて、指示情報に対する確認情報を受信してもよい。ここで、指示情報とは、前記スロットから所定スロット後における端末装置２０への送信データの存在を示す情報である。
この構成によれば、端末装置２０の制御部２６が間欠受信の受信期間において指示情報を受信したスロットと共通のスロットにおいて、その指示情報に対する確認情報を基地局装置１０に送信するとき、基地局装置１０の制御部１６は、確認情報を受信したスロットが端末装置２０における間欠受信の受信期間内であることを認識することができる。そのため、基地局装置１０の制御部１６は、指示情報の送信スロットから所定スロット後において端末装置２０への送信データの送信を開始することができる。また、端末装置２０は、確認情報の受信に応じて間欠受信を停止し、確認情報の受信から所定スロット後から、基地局装置１０が送信する送信データを受信することができる。一度に送信される確認情報の情報量は、送信データと比較して情報量が格段に少ないため、結果として通信リソースの利用効率の低下を抑えることができる。
【００８３】
（第２の実施形態）
次に、本発明の第２の実施形態について説明する。
まず、本実施形態に係る通信システムの一例である通信システムＳ２について説明する。次の説明は、第１の実施形態との差異点を主とし、上述の実施形態と同一の構成もしくは処理については、同一の符号を付して、特に言及がない限りその説明を援用する。
【００８４】
図１５は、本実施形態に係る通信システムＳ２の一例を示す図である。
本実施形態に係る通信システムＳ２は、より多様な種別の端末装置２０により構成される。図１５に示す例では、通信システムＳ２は、基地局装置１０と、端末装置２０ｃ、２０ｄと、を含んで構成される。端末装置２０ｃは、多機能携帯電話機（いわゆる、スマートフォンを含む）である。端末装置２０ｄは、無線ルータである。端末装置２０ｄは、例えば、ＬＴＥ，５Ｇなどで規定された方式の広域無線通信ネットワークと、ＩＥＥＥ８０２．１１で規定された方式の無線ＬＡＮ（Ｌｏｃａｌ  Ａｒｅａ  Ｎｅｔｗｏｒｋ）との間の通信を中継する。端末装置２０ｃは、主に移動しながら利用されるため消費電力を節約する必要性が高い。これに対して、端末装置２０ｄは、所定の位置に固定され、常に電源からの電力を受けられるため消費電力を節約する必要性が比較的低い。そこで、本実施形態に係る基地局装置１０は、端末装置２０ｃ、２０ｄそれぞれの種別に対応する複数の候補ＤＲＸをそれぞれ送信する。
【００８５】
（基地局装置）
次に、本実施形態に係る基地局装置１０の構成例について説明する。
図１６は、本実施形態に係る基地局装置１０の構成例を示すブロック図である。
基地局装置１０は、送受信部１２と、制御部１６と、記憶部１８と、を含んで構成される。制御部１６は、候補ＤＲＸ設定処理部１６２と、スケジューリング処理部１６４と、を含んで構成される。記憶部１８は、ＤＲＸ設定記憶部１８２と、端末タイプ記憶部１８４と、を含んで構成される。
【００８６】
基地局装置１０の端末タイプ記憶部１８４は、端末装置２０から端末タイプを示す端末タイプ情報を受信し、受信した端末タイプ情報を予め記憶する。端末タイプとは、端末の種別を意味する。端末装置２０の制御部２６は、例えば、基地局装置１０への位置登録、基地局装置１０との接続開始などの時点において端末能力情報（ＵＥ  Ｃａｐａｂｌｉｔｙ）に含めて端末タイプ情報を送信する。
【００８７】
ＤＲＸ設定記憶部１８２には、端末タイプ毎に複数の候補ＤＲＸ設定を記憶しておく。
端末タイプは、電源と有線で接続可能とするか否か、データの受信に即時性が要求される度合い、用途の汎用性、などを示す情報である。この端末タイプにより候補ＤＲＸ設定が示すＤＲＸ周期の長短や複数のＤＲＸ周期の分布が異なりうる。また、端末タイプによっては、候補ＤＲＸに代えて、ＤＲＸを行わずに常時受信を示す常時受信設定情報が候補ＤＲＸ設定として記憶されてもよい。
【００８８】
候補ＤＲＸ設定処理部１６２は、端末タイプ記憶部１８４から端末タイプ情報を読み出し、読み出した端末タイプ情報が示す端末タイプに対応する複数の候補ＤＲＸ設定を、制御チャネルを用いて端末装置２０に送信する。従って、端末装置２０の候補ＤＲＸ設定取得部２６２は、制御チャネルを用いて受信した複数の候補ＤＲＸ設定を候補ＤＲＸ設定記憶部２８２にそのまま記憶する。
基地局装置１０の候補ＤＲＸ設定処理部１６２は、読み出した端末タイプ情報が示す端末タイプに対応する複数の候補ＤＲＸ設定をスケジューリング処理部１６４に出力する。
【００８９】
候補ＤＲＸ設定処理部１６２は、端末タイプ記憶部１８４から端末タイプ毎の複数の候補ＤＲＸ設定を全て読み出し、読み出した全ての候補ＤＲＸ設定を、報知チャネルを用いて端末装置２０に送信してもよい。端末装置２０の候補ＤＲＸ設定取得部２６２は、報知チャネルを用いて受信した全ての候補ＤＲＸ設定のうち、自装置の端末タイプに対応する複数の候補ＤＲＸ設定を選択し、選択した複数の候補ＤＲＸ設定を候補ＤＲＸ設定記憶部２８２に記憶する。但し、候補ＤＲＸ設定処理部１６２は、端末タイプ記憶部１８４から端末タイプ情報を読み出し、読み出した端末タイプ情報が示す端末タイプに対応する複数の候補ＤＲＸ設定をスケジューリング処理部１６４に出力する。
【００９０】
端末タイプ記憶部１８４から読み出した端末タイプ情報が示す端末タイプに対応する常時受信設定情報が存在し、他の候補ＤＲＸ設定が存在しない場合には、候補ＤＲＸ設定処理部１６２は、端末装置２０に候補ＤＲＸ設定を送信しなくてもよい。そのような端末装置２０は、ＤＲＸを実行しないためである。
なお、端末装置２０のＤＲＸ設定部２６８は、上述したように、記憶された複数の候補ＤＲＸ設定から１つの候補ＤＲＸ設定を選択する。ＤＲＸ設定部２６８が、常時受信設定情報を選択する場合には、制御部２６は、ＤＲＸタイマが満了してもＤＲＸを開始せずに、常時受信を継続する。
【００９１】
（端末タイプと候補ＤＲＸ設定の関係）
図１７は、本実施形態に係る端末タイプと候補ＤＲＸ設定の例を示す図である。
端末タイプには、例えば、モバイルタイプ、固定／常時電源接続タイプ、ＩｏＴ（Ｉｎｔｅｒｎｅｔ  ｏｆ  Ｔｈｉｎｇｓ、モノのインターネット）タイプなどがある。モバイルタイプの端末装置は、電源と接続されない状態で使用されることが想定され、多様な用途を有する端末装置である。モバイルタイプの端末装置には、例えば、多機能携帯電話機（いわゆるスマートフォン）がある。モバイルタイプには、短周期ＤＲＸ設定、中周期ＤＲＸ設定、長周期ＤＲＸ設定のいずれも対応付けられている。但し、図１７に示す例では、複数のＤＲＸ候補設定（常時ＯＮを除く）間でＤＲＸ周期当たりの受信期間が共通であることを仮定する。
【００９２】
固定／常時電源接続タイプの端末装置は、通常の使用状態で位置が固定、もしくは電源と常に有線で接続される端末装置である。固定／常時電源接続タイプの端末装置には、例えば、無線ルータがある。無線ルータは、その配下に大容量の通信を行う端末装置、超低遅延タイプの端末装置、ＩｏＴタイプの端末装置など、様々な用途の他の端末装置と接続しうる。固定／常時電源接続タイプには、短周期ＤＲＸと常時受信（常時ＯＮ）が対応付けられる。また、短周期ＤＲＸと常時受信を対応付けたのは、常に電源と接続されるために電力節約の必要性が比較的低いためである。また、常時受信を対応付けたのは、超低遅延の通信を実行する端末装置と接続されることや、端末装置の動作状況に応じてＤＲＸを行わずに常時受信を行うときに、その端末装置の能力を発揮させる必要があるためである。
超低遅延タイプの端末装置は、超低遅延の通信を実行する端末装置もしくはその機能を有する端末装置である。超低遅延タイプの端末装置には、例えば、遠隔手術の監視装置などがある。超低遅延タイプに、常時受信のみを対応付けたのは、ＤＲＸの実行を回避し常に遅滞なく受信データを受信できるようにするためである。
【００９３】
ＩｏＴタイプの端末装置は、通信機器、パーソナルコンピュータなどの情報機器以外の物体、例えば、計測器、家庭電化製品などに備えられ、電源と接続するための部材を有しない通信機器である。ＩｏＴタイプには、長周期ＤＲＸ設定と超長周期ＤＲＸ設定が対応付けられる。このような端末装置は、電力節約の必要性が比較的高いためである。また、端末装置２０には、長周期ＤＲＸ設定と超長周期ＤＲＸ設定が通知されることで、そのいずれかが選択可能となる。超長周期ＤＲＸ設定は、長周期ＤＲＸ設定のＤＲＸ周期よりも長いＤＲＸ周期を有するＤＲＸ設定である。超長周期ＤＲＸ設定が示すＤＲＸ周期は、例えば、１０ｓ〜１日である。
【００９４】
ＩｏＴタイプは、さらに細分化されたサブタイプに区分されてもよい。端末装置２０の候補ＤＲＸ設定記憶部２８２には、自装置のサブタイプに対応する候補ＤＲＸ設定（例えば、長周期ＤＲＸ設定）が記憶されてもよい。候補ＤＲＸ設定記憶部２８２は、通知された複数の候補ＤＲＸ設定から、自装置のサブタイプに対応する候補ＤＲＸ設定を選択してもよい。
【００９５】
このように、電力節約の必要性が高い端末タイプの端末装置ほど、受信期間に対するＤＲＸ周期が長い候補ＤＲＸが対応付けられればよい。また、データの送受信に即時性が要求される端末タイプの端末装置ほど、ＤＲＸ周期が短い候補ＤＲＸが対応付けられればよい。また、用途が広範な端末タイプの端末装置ほど、ＤＲＸ周期が多様な候補ＤＲＸが対応付けられればよい。
【００９６】
以上に説明したように、本実施形態に係る基地局装置１０は、端末種別毎に複数の間欠受信設定の候補を対応付けて記憶した記憶部（記憶部１８）を備える。候補ＤＲＸ設定処理部１６２は、記憶部に記憶された複数の間欠受信設定の候補のうち、端末装置２０から通知された端末種別（端末タイプ）に対応する間欠受信設定の候補を選択し、選択した候補を示す間欠受信情報を端末装置２０に通知する。
この構成によれば、あらゆる端末装置２０の種別に応じた間欠受信設定の候補を提供する場合よりも、端末装置２０において間欠受信に適用されない間欠受信設定の候補の数を減少させることができる。そのため、間欠受信に係る情報量が減少し、通信システム全体の運用効率を向上させることができる。
【００９７】
（第３の実施形態）
次に、本発明の第３の実施形態について説明する。次の説明は、第１の実施形態との差異点を主とし、上述の実施形態と同一の構成もしくは処理については、同一の符号を付して、特に言及がない限りその説明を援用する。
【００９８】
本実施形態に係る基地局装置１０は、複数の候補ＤＲＸを示すＤＲＸ情報として、候補ＤＲＸに代えて最長ＤＲＸ周期を端末装置２０に送信する。最長ＤＲＸ周期は、端末装置２０に実行を許容するＤＲＸ周期の上限である。つまり、端末装置２０に予め設定されている複数の候補ＤＲＸ設定それぞれのＤＲＸ周期のうち、ＤＲＸに適用するＤＲＸ周期の最大値を意味する。
【００９９】
図１８は、本実施形態に係る基地局装置１０の構成例を示すブロック図である。
基地局装置１０は、送受信部１２と、制御部１６、記憶部１８とを備える。制御部１６は、スケジューリング処理部１６４と、最長ＤＲＸ周期処理部１７２と、を含んで構成される。記憶部１８は、最長ＤＲＸ周期記憶部１８６を含んで構成される。
最長ＤＲＸ周期処理部１７２は、最長ＤＲＸ周期記憶部１８６に予め記憶されている複数の最長ＤＲＸ周期から、１つの最長ＤＲＸ周期を選択する。
【０１００】
最長ＤＲＸ周期処理部１７２は、所定の基準に従って最長ＤＲＸ周期を選択してもよいし、ユーザの操作に応じて指示された最長ＤＲＸ周期を選択してもよい。最長ＤＲＸ周期処理部１７２は、選択した複数の最長ＤＲＸ周期を最長ＤＲＸ周期記憶部１８６から読み出す。最長ＤＲＸ周期処理部１７２は、読み出した最長ＤＲＸ周期を、送受信部１２を介して端末装置２０に送信するとともに、スケジューリング処理部１６４に出力する。
【０１０１】
最長ＤＲＸ周期処理部１７２は、例えば、端末装置２０との通信接続開始時に最長ＤＲＸ周期を通信パラメータに含めて、その端末装置２０に送信する。最長ＤＲＸ周期処理部１７２は、端末装置２０に送信する際、読み出した最長ＤＲＸ周期を、例えば、報知チャネル、制御チャネルの一方又は両方に搬送する。  
【０１０２】
最長ＤＲＸ周期記憶部１８６には、予め複数の異なる最長ＤＲＸ周期を記憶しておく。
なお、最長ＤＲＸ周期記憶部１８６に予め記憶しておく最長ＤＲＸ周期の数は１個であってもよい。最長ＤＲＸ周期処理部１７２は、最長ＤＲＸ周期記憶部１８６に記憶されている１つの最長ＤＲＸ周期を読み出し、読み出した最長ＤＲＸ設定を選択せずにそのまま、送受信部１２を介して端末装置２０に送信してもよい。
【０１０３】
スケジューリング処理部１６４には、最長ＤＲＸ周期処理部１７２から最長ＤＲＸ周期が入力される。スケジューリング処理部１６４は、端末装置２０宛の送信データを取得するとき、その次のスロットから送信データを繰り返し送信する。例えば、図５に示すｍ＝３のスケジューリング方法を使用している場合には、スケジューリング処理部１６４は、データ０，１，２，３，０，１，２，３、・・・とｍ＋１スロット周期でデータを繰り返して送信すればよい。２回目以降のｍ＋１スロット分の０，１，２，３の送信データは重複送信となる。そして、スケジューリング処理部１６４は、第１、第２実施形態と同様に、送信した送信データに対する応答情報を端末装置２０から送受信部１２を介して受信するとき、重複送信を停止し、未送信の送信データの端末装置２０への送信を継続する。そのとき、端末装置２０は、送信データを受信し、ＤＲＸを解除して、常時受信を行っていると推定されるためである。
【０１０４】
（端末装置）
次に、本実施形態に係る端末装置２０の構成例について説明する。
図１９は、本実施形態に係る端末装置２０の構成例を示すブロック図である。
端末装置２０は、送受信部２２と、制御部２６と、記憶部２８と、を含んで構成される。
制御部２６は、状況取得部２６６と、ＤＲＸ設定部２６８と、最長ＤＲＸ周期取得部２７２と、を含んで構成される。記憶部２８は、最長ＤＲＸ周期記憶部２８４を含んで構成される。
【０１０５】
最長ＤＲＸ周期取得部２７２は、基地局装置１０から送信される最長ＤＲＸ周期を受信する。最長ＤＲＸ周期取得部２７２は、例えば、基地局装置１０との通信開始接続時に基地局装置１０から通信パラメータを受信し、受信した通信パラメータから最長ＤＲＸ周期を抽出する。この時点で取得した最長ＤＲＸ周期に基づいて後述する手法で選択された候補ＤＲＸ設定がＣ−ＤＲＸで用いられる。なお、最長ＤＲＸ周期取得部２７２は、自装置（端末装置２０）の動作状態がＣ−ＤＲＸである場合には、制御チャネルをモニタし、モニタしている制御チャネルで搬送される最長ＤＲＸ周期を検出してもよい。最長ＤＲＸ周期取得部２７２は、自装置の動作状態がＩ−ＤＲＸである場合には、報知チャネルを受信し、受信した報知チャネルで搬送される最長ＤＲＸ周期を検出する。最長ＤＲＸ周期取得部２７２は、取得した最長ＤＲＸ周期を最長ＤＲＸ周期記憶部２８４に記憶する。
なお、基地局装置１０から最長ＤＲＸ周期が繰り返し送信されうるが、最長ＤＲＸ周期取得部２７２は、最長ＤＲＸ周期記憶部２８４に記憶された最長ＤＲＸ周期を、最新の最長ＤＲＸ周期に更新してもよい。自装置の動作状態が常時受信状態である場合でも、最長ＤＲＸ周期取得部２７２は、最長ＤＲＸ周期を受信してもよい。
【０１０６】
最長ＤＲＸ周期記憶部２８４は、最長ＤＲＸ周期取得部２７２が取得した最長ＤＲＸ周期を記憶する。また、最長ＤＲＸ周期記憶部２８４には、予め最長ＤＲＸ周期以内の複数の候補ＤＲＸ設定を制御部２６が任意に設定して、設定した候補ＤＲＸ設定を予め記憶しておいてもよい。
なお、ＤＲＸ設定部２６８は、状況取得部２６６から入力される動作状況情報が示す動作状況に応じて、最長ＤＲＸ周期記憶部２８４に予め記憶された最長ＤＲＸ周期以内のＤＲＸ設定を設定する。予め複数の候補ＤＲＸ設定が最長ＤＲＸ周期記憶部１８６に記憶されている場合には、ＤＲＸ設定部２６８は、動作状況に応じて、対応する１つの候補ＤＲＸ設定を、上述の手法を用いて選択する。
【０１０７】
（送信処理）
次に、本実施形態に係る基地局装置１０による送信処理の例について説明する。
図２０は、本実施形態に係る送信処理の一例を示すフローチャートである。
図２０に示す処理では、端末装置２０の制御部２６が、基地局装置１０からの送信データを受信するスロットと共通のスロットにおいて、その送信データに対する応答情報を送信することを仮定する（図８参照）。また、基地局装置１０のスケジューリング処理部１６４は、１スロットの期間、端末からの応答情報がなければ、端末はＤＲＸ状態と判断するものとする。
また、ステップＳ３０６、Ｓ３０８、Ｓ３１２、Ｓ３１６、Ｓ３１８の処理は、それぞれステップＳ１０６、Ｓ１０８、Ｓ１１２、Ｓ１１６、Ｓ１１８の処理（図１３）と同様であるため、それらの説明を援用する。
【０１０８】
（ステップＳ３０２）基地局装置１０の最長ＤＲＸ周期処理部１７２は、最長ＤＲＸ周期記憶部１８６に予め記憶されている最長ＤＲＸ周期から、端末装置２０に通知する最長ＤＲＸ周期を決定する。その後、ステップＳ３０４の処理に進む。
（ステップＳ３０４）最長ＤＲＸ周期処理部１７２は、決定した最長ＤＲＸ周期を端末装置２０に通知する。その後、ステップＳ３０６の処理に進む。
ステップＳ３０８において、スケジューリング処理部１６４が端末装置２０の動作状態がＤＲＸ状態であると判定するとき（ステップＳ３０８  ＹＥＳ）、ステップＳ３２２の処理に進む。
（ステップＳ３２２）スケジューリング処理部１６４は、時刻Ｔを初期値０にリセットして、重複送信タイマに時刻Ｔの計時を開始させる。その後、ステップＳ３１２の処理に進む。
【０１０９】
（ステップＳ３１４）スケジューリング処理部１６４が、その時点のスロットにおいて送信した送信データ（スケジューリング情報、ユーザデータ）に対する応答情報を受信する場合（ステップＳ３１４  ＹＥＳ）、ステップＳ３１６の処理に進む。スケジューリング処理部１６４が、その時点のスロットにおいて送信した送信データに対する応答情報を受信しない場合（ステップＳ３１４  ＮＯ）、ステップＳ３２４の処理に進む。
（ステップＳ３２４）時刻Ｔが最長ＤＲＸ周期を超えるとき（ステップＳ３２４  ＹＥＳ）、スケジューリング処理部１６４は、端末装置２０の動作状態がスリープ状態もしくは非接続と判定し、図２０に示す処理を終了する。時刻Ｔが最長ＤＲＸ周期以下であるとき（ステップＳ３２４  ＮＯ）、処理対象のスロットを次のスロットに進め、ステップＳ３１２の処理に進む。
【０１１０】
図２０の処理によれば、複数の候補ＤＲＸ設定を通知せずに、通知した最長ＤＲＸ周期内の各スロットを各候補ＤＲＸ設定の受信期間と仮定して重複送信を行っている。そのため、ＤＲＸ設定に係るシグナリングの情報量を低減することができる。また、制御部１６において各候補ＤＲＸが未知であっても、端末装置２０が実行するＤＲＸにおいて使用されている候補ＤＲＸ設定にかかわらず、端末装置２０からの応答情報の受信に応じて送信データの送信を継続することができる。
【０１１１】
（受信処理）
次に、本実施形態に係る端末装置２０による処理の例について説明する。
図２１は、本実施形態に係る受信処理の一例を示すフローチャートである。
ステップＳ４０４、Ｓ４０８、Ｓ４１０、Ｓ４１２、Ｓ４１６の処理は、それぞれステップＳ２０４、Ｓ２０８、Ｓ２１０、Ｓ２１２、Ｓ２１６の処理（図１４）と同様であるため、それらの説明を援用する。
【０１１２】
（ステップＳ４０２）端末装置２０の最長ＤＲＸ周期取得部２７２は、基地局装置１０から最長ＤＲＸ周期を取得し、最長ＤＲＸ周期記憶部２８４に記憶する。その後、ステップＳ４０４の処理に進む。
（ステップＳ４０６）ＤＲＸ設定部２６８は、端末装置２０における動作状況に応じて、最長ＤＲＸ周期記憶部２８４に予め記憶された最長ＤＲＸ周期以内のＤＲＸ設定を設定する。予め複数の候補ＤＲＸ設定が最長ＤＲＸ周期記憶部１８６に記憶されている場合には、ＤＲＸ設定部２６８は、動作状況に応じて、対応する１つの候補ＤＲＸ設定を選択する。その後、ステップＳ４０８の処理に進む。
（ステップＳ４１４）ＤＲＸ設定部２６８は、変化した動作状況に対応する最長ＤＲＸ周期以内のＤＲＸを設定する（更新）。その後、ステップＳ４０８の処理に進む。
【０１１３】
なお、図２０の処理において、ステップＳ３０８、Ｓ３１８の処理は省略され、端末装置２０の動作状態が常時受信状態であっても、ステップＳ３０６の処理の終了後、ステップＳ３２２の処理に進んでもよい。
図２０の処理は、端末装置２０の制御部が、受信期間において事前指示情報ｇｒの受信スロットと共通のスロットにおいて事前指示確認情報ｇｔを基地局装置１０に送信し、そのスロットからｎスロット後以降のスロットにおいて、基地局装置１０からの送信データを受信する場合にも応用可能である。但し、ステップＳ３１２の処理として、基地局装置１０のスケジューリング処理部１６４は、事前指示情報ｇｒを端末装置２０に送信する。ステップＳ３１４の処理として、端末装置２０からの応答情報として事前指示確認情報ｇｔを受信するとき（ステップＳ３１４  ＹＥＳ）、ステップＳ３１６の処理に進む。ステップＳ３１６では、スケジューリング処理部１６４は、スケジューリング情報とユーザデータからなる送信データ全体を事前指示情報ｇｒの送信スロットからｎスロット後に端末装置２０に送信する。ステップＳ３１４の処理として、端末装置２０からの応答情報として事前指示確認情報ｇｔを受信しないとき（ステップＳ３１４  ＮＯ）、ステップＳ３２４の処理に進む。
【０１１４】
なお、図２０の処理は、端末装置２０の制御部が、受信期間において送信データの受信スロットからｍスロット後に応答情報を送信する場合（図５）にも応用可能である。但し、スケジューリング処理部１６４は、ステップＳ３１４の処理を、ステップＳ３１２の処理に係るスロットからｍスロット後に行い、そのｍスロット後の時刻が到来する前に、ステップＳ３１２の処理対象とするスロットを次のスロットに進める。また、ステップＳ３１２において、スケジューリング処理部１６４は、最新のｍ＋１スロット分の送信データを端末装置２０に送信する。スケジューリング処理部１６４は、時刻Ｔが最長ＤＲＸ周期よりもｍスロット後の時刻に達するまで（ステップＳ３２４  ＮＯ）、ステップＳ３１２、Ｓ３１４の処理を繰り返し、時刻Ｔが最長ＤＲＸ周期よりもｍスロット後の時刻を経過するとき（ステップＳ３２４  ＹＥＳ）、図２０に示す処理を終了する。
【０１１５】
また、図２０のステップＳ３２４の処理において、スケジューリング処理部１６４は、時刻Ｔと最長ＤＲＸ周期との比較に代え、時刻Ｔと最長ＤＲＸ周期よりも延長した期間（例えば、α（αは、１よりも大きい予め設定された実数）倍の期間）との比較を行い、時刻Ｔがその期間を満了したか否かを判定してもよい。そして、スケジューリング処理部１６４は、端末装置２０からの否定応答の受信に応じて、その否定応答に対する送信データを端末装置２０に再送してもよい。これにより、基地局装置１０と端末装置２０との間の伝搬状態が劣悪である場合でも、端末装置２０により確実に送信データを送達することができる。
【０１１６】
また、基地局装置１０の記憶部１８は、さらに端末タイプ記憶部１８４（図１６）を備え、最長ＤＲＸ周期記憶部１８６は、端末タイプ毎に最長ＤＲＸ周期を記憶しておいてもよい。ここで、電力節約の必要性が高い端末タイプの端末装置ほど、受信期間に対する最長ＤＲＸ周期を長くすればよい。データの送受信に即時性が要求される端末タイプの端末装置ほど、最長ＤＲＸ周期を短くすればよい。また、用途が広範な端末タイプの端末タイプの端末装置ほど、ＤＲＸ周期が多様な候補ＤＲＸが対応付けられればよい。
最長ＤＲＸ周期処理部１７２は、端末タイプ記憶部１８４から端末タイプ情報を読み出し、読み出した端末タイプ情報が示す端末タイプに対応する最長ＤＲＸ周期を、制御チャネルを用いて端末装置２０に送信する。他方、端末装置２０の最長ＤＲＸ周期取得部２７２は、制御チャネルを用いて受信した最長ＤＲＸ周期を最長ＤＲＸ周期記憶部２８４に記憶する。
【０１１７】
最長ＤＲＸ周期処理部１７２は、最長ＤＲＸ周期記憶部１８６から端末タイプ毎の最長ＤＲＸ周期を全て読み出し、読み出した最長ＤＲＸ周期を、報知チャネルを用いて端末装置２０に送信する。他方、端末装置２０の最長ＤＲＸ周期取得部２７２は、報知チャネルを用いて受信した全ての最長ＤＲＸ周期のうち、自装置の端末タイプに対応する最長ＤＲＸ周期を選択し、選択した最長ＤＲＸ周期を最長ＤＲＸ周期記憶部２８４に記憶する。
【０１１８】
以上に説明したように、本実施形態では、複数の間欠受信設定の候補を示す間欠受信情報は、それらの複数の間欠受信設定の候補が示す間欠受信周期のうちの最大値（最長ＤＲＸ周期）を示す。
この構成によれば、基地局装置１０の制御部１６は、個々の間欠受信設定の送信ならびに間欠受信設定が示す受信期間における送信データの送信時刻の設定に係る処理を行う必要がない。そのため、端末装置２０に対する個々の間欠受信設定の送信、停止に係る処理の負荷が軽減される。また、端末装置２０の制御部２６は、動作状況に応じた間欠受信設定を選択できる他、最長ＤＲＸ周期内において少なくとも１スロットにおいて基地局装置１０からの送信データを受信し、受信した送信データに対する応答情報を基地局装置１０に送信することができれば、より柔軟な受信期間の設定が可能となる。
【０１１９】
以上、図面を参照してこの発明の実施形態について説明してきたが、具体的な構成は上述のものに限られることはなく、この発明の要旨を逸脱しない範囲内において様々な設計変更等をすることが可能である。
例えば、基地局装置１０の候補ＤＲＸ設定処理部１６２（図２）が１つの端末装置２０について選択する候補ＤＲＸの数は、２以上であれば任意である。また、ＤＲＸ設定記憶部１８２（図２）に記憶される候補ＤＲＸの数は、候補ＤＲＸ設定処理部１６２が選択する候補ＤＲＸの数と等しいか、より多ければ任意である。
また、端末装置２０の最長ＤＲＸ周期記憶部２８４（図１９）に記憶される候補ＤＲＸ周期のうち、最長ＤＲＸ周期処理部１７２が選択する最長ＤＲＸ周期以下となるＤＲＸ周期を示す候補ＤＲＸの数は、２以上であれば任意である。
【０１２０】
また、第３の実施形態では、複数の間欠受信設定の候補を示す間欠受信情報として最長ＤＲＸ周期を適用する場合を例にしたが、これには限られない。最長ＤＲＸ周期に代えて、ＤＲＸ周期帯が適用されてもよい。ＤＲＸ周期帯とは、選択すべきＤＲＸ周期の範囲を意味する。ＤＲＸ周期帯を示す情報は、その範囲に対応付けられた少数のビットの符号（例えば、２〜４ビット）で表現され、基地局装置１０から端末装置２０に通知されてもよい。その範囲は、ＤＲＸ周期の下限と上限で指示され、さらに下限も指示される点で、最長ＤＲＸ周期とは異なる。端末装置２０のＤＲＸ設定部２６８は、基地局装置１０から通知されたＤＲＸ周期帯の範囲内となるＤＲＸ周期を示す候補ＤＲＸ設定から動作状況に対応する候補ＤＲＸを選択すればよい。
また、端末タイプ毎にＤＲＸ周期帯が予め定められてもよい。電力節約の必要性が高い端末タイプの端末装置ほど、受信期間に対するＤＲＸ周期が長いＤＲＸ周期帯が対応付けられればよい。また、データの送受信に即時性が要求される端末タイプの端末装置ほど、ＤＲＸ周期が短いＤＲＸ周期帯が対応付けられればよい。また、用途が広範な端末タイプの端末装置ほど、その範囲が広範なＤＲＸ周期帯が対応付けられればよい。
【０１２１】
なお、上記の実施形態に係る基地局装置１０の一部（例えば、制御部１６）、端末装置２０の一部（例えば、制御部２６）のそれぞれは、１個又は複数のプロセッサ、記憶媒体、入出力インタフェース及びコンピュータ読み取り可能な記録媒体などからなるコンピュータで実現するようにしてもよい。その場合、制御部１６、２６のそれぞれもしくは全体の機能を実現するためのプログラムを、それぞれ記憶部１８、２８に記録しておき、記録されたプログラムをコンピュータシステムに読み込ませ、読み込んだプログラムに記述された命令で指示される処理を実行することによって実現してもよい。なお、「コンピュータシステム」とは、基地局装置１０に内蔵されたコンピュータシステムであって、ＯＳ（Ｏｐｅｒａｔｉｎｇ  Ｓｙｓｔｅｍ）や周辺機器等のハードウェアを含むものとする。プロセッサは、ＣＰＵ（Ｃｅｎｔｒａｌ  Ｐｒｏｃｅｓｓｉｎｇ  Ｕｎｉｔ）、ＧＰＬＤ（Ｐｒｏｇｒａｍｍａｂｌｅ  Ｌｏｇｉｃ  Ｄｅｖｉｃｅ）などのいずれであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）（登録商標）−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１２２】
Ｓ１、Ｓ２…通信システム、１０…基地局装置、１２…送受信部、１６…制御部、１８…記憶部、２０（２０ａ、２０ｂ、２０ｃ、２０ｄ）…端末装置、２２…送受信部、２６…制御部、２８…記憶部、１６２…候補ＤＲＸ設定処理部、１６４…スケジューリング処理部、１７２…最長ＤＲＸ周期処理部、１８２…ＤＲＸ設定記憶部、１８４…端末タイプ記憶部、１８６…最長ＤＲＸ周期記憶部、２６２…候補ＤＲＸ設定取得部、２６６…状況取得部、２６８…ＤＲＸ設定部、２７２…最長ＤＲＸ周期取得部、２８２…候補ＤＲＸ設定記憶部、２８４…最長ＤＲＸ周期記憶部
【図１】
2019165328.tif 000003
【図２】
2019165328.tif 000004
【図３】
2019165328.tif 000005
【図４】
2019165328.tif 000006
【図５】
2019165328.tif 000007
【図６】
2019165328.tif 000008
【図７】
2019165328.tif 000009
【図８】
2019165328.tif 000010
【図９】
2019165328.tif 000011
【図１０】
2019165328.tif 000012
【図１１】
2019165328.tif 000013
【図１２】
2019165328.tif 000014
【図１３】
2019165328.tif 000015
【図１４】
2019165328.tif 000016
【図１５】
2019165328.tif 000017
【図１６】
2019165328.tif 000018
【図１７】
2019165328.tif 000019
【図１８】
2019165328.tif 000020
【図１９】
2019165328.tif 000021
【図２０】
2019165328.tif 000022
【図２１】
2019165328.tif 000023